(57)【特許請求の範囲】
【請求項１】
ハイブリッド自動再送要求−肯定応答伝送方法であって、
ユーザ機器により、前記ユーザ機器のサービングセルである、サブフレームｎ−ｋの第１のサービングセルで、ダウンリンクセミパーシステントスケジューリングＳＰＳリリースを示す物理ダウンリンク共有チャネルＰＤＳＣＨ又はダウンリンク制御チャネルを受信するステップと、
前記ユーザ機器により、サブフレームｎで、前記第１のサービングセルのものであり前記サブフレームｎ−ｋに含まれる前記ＰＤＳＣＨ又は前記ダウンリンク制御チャネルに対応するハイブリッド自動再送要求−肯定応答ＨＡＲＱ−ＡＣＫを送信するステップとを含み、
ｎが整数であり、ｋが正の整数であり、ｋが集合Ｋに属し、設定されたＨＡＲＱ−ＡＣＫタイミングに応じて前記集合Ｋが判定され、前記設定されたＨＡＲＱ−ＡＣＫタイミングが第１のＨＡＲＱ−ＡＣＫタイミング又は第２のＨＡＲＱ−ＡＣＫタイミングを含み、
前記設定されたＨＡＲＱ−ＡＣＫタイミングが前記第１のＨＡＲＱ−ＡＣＫタイミングであるとき、前記集合Ｋが１つの要素のみを含み、前記サブフレームｎが短縮サブフレームに基づくフレーム構造においてダウンリンク伝送に使用される第１のサブフレーム、若しくは前記短縮サブフレームに基づく前記フレーム構造においてアップリンク伝送に使用される第２のサブフレームであるか、又は
前記設定されたＨＡＲＱ−ＡＣＫタイミングが前記第２のＨＡＲＱ−ＡＣＫタイミングであるとき、前記集合Ｋが少なくとも１つの要素を含み、前記サブフレームｎが前記第２のサブフレームである、方法。
【請求項２】
前記設定されたＨＡＲＱ−ＡＣＫタイミングが前記第１のＨＡＲＱ−ＡＣＫタイミングであるとき、前記集合Ｋが｛３｝又は｛４｝である、請求項１に記載の方法。
【請求項３】
前記設定されたＨＡＲＱ−ＡＣＫタイミングが前記第２のＨＡＲＱ−ＡＣＫタイミングであるとき、前記第１のサービングセルの参照アップリンク−ダウンリンク構成に応じて前記集合Ｋが判定される、請求項１に記載の方法。
【請求項４】
前記設定されたＨＡＲＱ−ＡＣＫタイミングが前記第２のＨＡＲＱ−ＡＣＫタイミングであるとき、前記第１のサービングセルの参照アップリンク−ダウンリンク構成に応じて前記集合Ｋが判定されることが、
前記参照アップリンク−ダウンリンク構成がアップリンク−ダウンリンク構成０であるとき、前記サブフレームｎが無線フレームのサブフレーム２、サブフレーム４、サブフレーム７、若しくはサブフレーム９に対応し、前記サブフレームｎが無線フレームのサブフレーム２若しくはサブフレーム７に対応するとき、前記集合Ｋが｛６｝であり、若しくは、前記サブフレームｎが無線フレームのサブフレーム４若しくはサブフレーム９に対応するとき、前記集合Ｋが｛４｝であること、
前記参照アップリンク−ダウンリンク構成がアップリンク−ダウンリンク構成１であるとき、前記サブフレームｎが無線フレームのサブフレーム２、サブフレーム３、サブフレーム７、若しくはサブフレーム８に対応し、前記サブフレームｎが無線フレームのサブフレーム２若しくはサブフレーム７に対応するとき、前記集合Ｋが｛７，６｝であり、若しくは、前記サブフレームｎが無線フレームのサブフレーム３若しくはサブフレーム８に対応するとき、前記集合Ｋが｛４｝であること、
前記参照アップリンク−ダウンリンク構成がアップリンク−ダウンリンク構成２であるとき、前記サブフレームｎが無線フレームのサブフレーム２若しくはサブフレーム７に対応し、前記集合Ｋが｛８，７，４，６｝であること、
前記参照アップリンク−ダウンリンク構成がアップリンク−ダウンリンク構成３であるとき、前記サブフレームｎが無線フレームのサブフレーム２、サブフレーム３、若しくはサブフレーム４に対応し、前記サブフレームｎが無線フレームのサブフレーム２に対応するとき、前記集合Ｋが｛７，６，１１｝であり、前記サブフレームｎが無線フレームのサブフレーム３に対応するとき、前記集合Ｋが｛６，５｝であり、若しくは、前記サブフレームｎが無線フレームのサブフレーム４に対応するとき、前記集合Ｋが｛５，４｝であること、
前記参照アップリンク−ダウンリンク構成がアップリンク−ダウンリンク構成４であるとき、前記サブフレームｎが無線フレームのサブフレーム２及びサブフレーム３に対応し、前記サブフレームｎが無線フレームのサブフレーム２に対応するとき、前記集合Ｋが｛１２，８，７，１１｝であり、若しくは、前記サブフレームｎが無線フレームのサブフレーム３に対応するとき、前記集合Ｋが｛６，５，４，７｝であること、
前記参照アップリンク−ダウンリンク構成がアップリンク−ダウンリンク構成５であるとき、前記サブフレームｎが無線フレームのサブフレーム２に対応し、前記集合Ｋが｛１３，１２，９，８，７，５，４，１１，６｝であること、又は
前記参照アップリンク−ダウンリンク構成がアップリンク−ダウンリンク構成６であるとき、前記サブフレームｎが無線フレームのサブフレーム２、サブフレーム３、サブフレーム４、サブフレーム７、若しくはサブフレーム８に対応し、前記サブフレームｎが無線フレームのサブフレーム２、サブフレーム３、サブフレーム７、若しくはサブフレーム８に対応するとき、前記集合Ｋが｛７｝であり、若しくは、前記サブフレームｎが無線フレームのサブフレーム４に対応するとき、前記集合Ｋが｛５｝であること
を含む、請求項３に記載の方法。
【請求項５】
前記参照アップリンク−ダウンリンク構成が前記第１のサービングセルのアップリンク−ダウンリンク構成であり、前記第１のサービングセルの前記アップリンク−ダウンリンク構成が、無線フレームでの第１のサブフレーム、第２のサブフレーム、ダウンリンクサブフレーム、及びアップリンクサブフレームの配置を示す、請求項３又は４に記載の方法。
【請求項６】
ハイブリッド自動再送要求−肯定応答伝送方法であって、
基地局により、ユーザ機器に対して、前記ユーザ機器のサービングセルである、サブフレームｎ−ｋの第１のサービングセルで、ダウンリンクセミパーシステントスケジューリングＳＰＳリリースを示す物理ダウンリンク共有チャネルＰＤＳＣＨ又はダウンリンク制御チャネルを送信するステップと、
前記基地局により、サブフレームｎで、前記ユーザ機器により送信され、前記第１のサービングセルのものであり前記サブフレームｎ−ｋに含まれる前記ＰＤＳＣＨ又は前記ダウンリンク制御チャネルに対応するハイブリッド自動再送要求−肯定応答ＨＡＲＱ−ＡＣＫを受信するステップとを含み、
ｎが整数であり、ｋが正の整数であり、ｋが集合Ｋに属し、前記基地局により前記ユーザ機器に対して設定されたＨＡＲＱ−ＡＣＫタイミングに応じて前記集合Ｋが判定され、
前記基地局により前記ユーザ機器に対して設定された前記ＨＡＲＱ−ＡＣＫタイミングが第１のＨＡＲＱ−ＡＣＫタイミングであるとき、前記集合Ｋが１つの要素のみを含み、前記サブフレームｎが短縮サブフレームに基づくフレーム構造においてダウンリンク伝送に使用される第１のサブフレーム、若しくは前記短縮サブフレームに基づく前記フレーム構造においてアップリンク伝送に使用される第２のサブフレームであるか、又は
前記基地局により前記ユーザ機器に対して設定された前記ＨＡＲＱ−ＡＣＫタイミングが第２のＨＡＲＱ−ＡＣＫタイミングであるとき、前記集合Ｋが少なくとも１つの要素を含み、前記サブフレームｎが前記第２のサブフレームである、方法。
【請求項７】
前記基地局により前記ユーザ機器に対して設定された前記ＨＡＲＱ−ＡＣＫタイミングが前記第１のＨＡＲＱ−ＡＣＫタイミングであるとき、前記集合Ｋが｛３｝又は｛４｝である、請求項６に記載の方法。
【請求項８】
前記基地局により前記ユーザ機器に対して設定された前記ＨＡＲＱ−ＡＣＫタイミングが第２のＨＡＲＱ−ＡＣＫタイミングであるとき、前記第１のサービングセルの参照アップリンク−ダウンリンク構成に応じて前記集合Ｋが判定される、請求項６に記載の方法。
【請求項９】
前記基地局により前記ユーザ機器に対して設定された前記ＨＡＲＱ−ＡＣＫタイミングが前記第２のＨＡＲＱ−ＡＣＫタイミングであるとき、前記第１のサービングセルの参照アップリンク−ダウンリンク構成に応じて前記集合Ｋが判定されることが、
前記参照アップリンク−ダウンリンク構成がアップリンク−ダウンリンク構成０であるとき、前記サブフレームｎが無線フレームのサブフレーム２、サブフレーム４、サブフレーム７、若しくはサブフレーム９に対応し、前記サブフレームｎが無線フレームのサブフレーム２若しくはサブフレーム７に対応するとき、前記集合Ｋが｛６｝であり、若しくは、前記サブフレームｎが無線フレームのサブフレーム４若しくはサブフレーム９に対応するとき、前記集合Ｋが｛４｝であること、
前記参照アップリンク−ダウンリンク構成がアップリンク−ダウンリンク構成１であるとき、前記サブフレームｎが無線フレームのサブフレーム２、サブフレーム３、サブフレーム７、若しくはサブフレーム８に対応し、前記サブフレームｎが無線フレームのサブフレーム２若しくはサブフレーム７に対応するとき、前記集合Ｋが｛７，６｝であり、若しくは、前記サブフレームｎが無線フレームのサブフレーム３若しくはサブフレーム８に対応するとき、前記集合Ｋが｛４｝であること、
前記参照アップリンク−ダウンリンク構成がアップリンク−ダウンリンク構成２であるとき、前記サブフレームｎが無線フレームのサブフレーム２若しくはサブフレーム７に対応し、前記集合Ｋが｛８，７，４，６｝であること、
前記参照アップリンク−ダウンリンク構成がアップリンク−ダウンリンク構成３であるとき、前記サブフレームｎが無線フレームのサブフレーム２、サブフレーム３、若しくはサブフレーム４に対応し、前記サブフレームｎが無線フレームのサブフレーム２に対応するとき、前記集合Ｋが｛７，６，１１｝であり、前記サブフレームｎが無線フレームのサブフレーム３に対応するとき、前記集合Ｋが｛６，５｝であり、若しくは、前記サブフレームｎが無線フレームのサブフレーム４に対応するとき、前記集合Ｋが｛５，４｝であること、
前記参照アップリンク−ダウンリンク構成がアップリンク−ダウンリンク構成４であるとき、前記サブフレームｎが無線フレームのサブフレーム２及びサブフレーム３に対応し、前記サブフレームｎが無線フレームのサブフレーム２に対応するとき、前記集合Ｋが｛１２，８，７，１１｝であり、若しくは、前記サブフレームｎが無線フレームのサブフレーム３に対応するとき、前記集合Ｋが｛６，５，４，７｝であること、
前記参照アップリンク−ダウンリンク構成がアップリンク−ダウンリンク構成５であるとき、前記サブフレームｎが無線フレームのサブフレーム２に対応し、前記集合Ｋが｛１３，１２，９，８，７，５，４，１１，６｝であること、又は
前記参照アップリンク−ダウンリンク構成がアップリンク−ダウンリンク構成６であるとき、前記サブフレームｎが無線フレームのサブフレーム２、サブフレーム３、サブフレーム４、サブフレーム７、若しくはサブフレーム８に対応し、前記サブフレームｎが無線フレームのサブフレーム２、サブフレーム３、サブフレーム７、若しくはサブフレーム８に対応するとき、前記集合Ｋが｛７｝であり、若しくは、前記サブフレームｎが無線フレームのサブフレーム４に対応するとき、前記集合Ｋが｛５｝であること
を含む、請求項８に記載の方法。
【請求項１０】
前記参照アップリンク−ダウンリンク構成が前記第１のサービングセルのアップリンク−ダウンリンク構成であり、前記第１のサービングセルの前記アップリンク−ダウンリンク構成が、無線フレームでの第１のサブフレーム、第２のサブフレーム、ダウンリンクサブフレーム、及びアップリンクサブフレームの配置を示す、請求項８又は９に記載の方法。
【請求項１１】
基地局により、ＨＡＲＱ−ＡＣＫタイミングを、ユーザ機器に対して設定するステップが、
前記基地局により、前記第１のサービングセルの参照アップリンク−ダウンリンク構成を、前記ユーザ機器に対して設定するステップを含み、前記第１のサービングセルの前記参照アップリンク−ダウンリンク構成が、前記第１のサービングセルのＨＡＲＱ−ＡＣＫタイミングを決定する、請求項６から１０のいずれか一項に記載の方法。
【請求項１２】
前記基地局により、前記ＨＡＲＱ−ＡＣＫタイミングを、前記ユーザ機器に対して設定するステップであって、前記基地局により前記ユーザ機器に対して設定された前記ＨＡＲＱ−ＡＣＫタイミングが第１のＨＡＲＱ−ＡＣＫタイミング又は第２のＨＡＲＱ−ＡＣＫタイミングを含む、ステップ
を含む、請求項６から１１のいずれか一項に記載の方法。
【請求項１３】
ユーザ機器であって、
前記ユーザ機器のサービングセルである、サブフレームｎ−ｋの第１のサービングセルで、ダウンリンクセミパーシステントスケジューリングＳＰＳリリースを示す物理ダウンリンク共有チャネルＰＤＳＣＨ又はダウンリンク制御チャネルを受信するように構成された受信モジュールと、
サブフレームｎで、前記第１のサービングセルのものであり前記サブフレームｎ−ｋに含まれる前記ＰＤＳＣＨ又は前記ダウンリンク制御チャネルに対応するハイブリッド自動再送要求−肯定応答ＨＡＲＱ−ＡＣＫを送信するように構成された送信モジュールとを含み、
ｎが整数であり、ｋが正の整数であり、ｋが集合Ｋに属し、設定されたＨＡＲＱ−ＡＣＫタイミングに応じて前記集合Ｋが判定され、前記設定されたＨＡＲＱ−ＡＣＫタイミングが第１のＨＡＲＱ−ＡＣＫタイミング又は第２のＨＡＲＱ−ＡＣＫタイミングを含み、
前記設定されたＨＡＲＱ−ＡＣＫタイミングが前記第１のＨＡＲＱ−ＡＣＫタイミングであるとき、前記集合Ｋが１つの要素のみを含み、前記サブフレームｎが短縮サブフレームに基づくフレーム構造においてダウンリンク伝送に使用される第１のサブフレーム、若しくは前記短縮サブフレームに基づく前記フレーム構造においてアップリンク伝送に使用される第２のサブフレームであるか、又は
前記設定されたＨＡＲＱ−ＡＣＫタイミングが前記第２のＨＡＲＱ−ＡＣＫタイミングであるとき、前記集合Ｋが少なくとも１つの要素を含み、前記サブフレームｎが前記第２のサブフレームである、ユーザ機器。
【請求項１４】
前記設定されたＨＡＲＱ−ＡＣＫタイミングが前記第１のＨＡＲＱ−ＡＣＫタイミングであるとき、前記集合Ｋが｛３｝又は｛４｝である、請求項１３に記載のユーザ機器。
【請求項１５】
前記設定されたＨＡＲＱ−ＡＣＫタイミングが前記第２のＨＡＲＱ−ＡＣＫタイミングであるとき、前記第１のサービングセルの参照アップリンク−ダウンリンク構成に応じて前記集合Ｋが判定される、請求項１３に記載のユーザ機器。
【請求項１６】
前記設定されたＨＡＲＱ−ＡＣＫタイミングが前記第２のＨＡＲＱ−ＡＣＫタイミングであるとき、前記第１のサービングセルの参照アップリンク−ダウンリンク構成に応じて前記集合Ｋが判定されることが、
前記参照アップリンク−ダウンリンク構成がアップリンク−ダウンリンク構成０であるとき、前記サブフレームｎが無線フレームのサブフレーム２、サブフレーム４、サブフレーム７、若しくはサブフレーム９に対応し、前記サブフレームｎが無線フレームのサブフレーム２若しくはサブフレーム７に対応するとき、前記集合Ｋが｛６｝であり、若しくは、前記サブフレームｎが無線フレームのサブフレーム４若しくはサブフレーム９に対応するとき、前記集合Ｋが｛４｝であること、
前記参照アップリンク−ダウンリンク構成がアップリンク−ダウンリンク構成１であるとき、前記サブフレームｎが無線フレームのサブフレーム２、サブフレーム３、サブフレーム７、若しくはサブフレーム８に対応し、前記サブフレームｎが無線フレームのサブフレーム２若しくはサブフレーム７に対応するとき、前記集合Ｋが｛７，６｝であり、若しくは、前記サブフレームｎが無線フレームのサブフレーム３若しくはサブフレーム８に対応するとき、前記集合Ｋが｛４｝であること、
前記参照アップリンク−ダウンリンク構成がアップリンク−ダウンリンク構成２であるとき、前記サブフレームｎが無線フレームのサブフレーム２若しくはサブフレーム７に対応し、前記集合Ｋが｛８，７，４，６｝であること、
前記参照アップリンク−ダウンリンク構成がアップリンク−ダウンリンク構成３であるとき、前記サブフレームｎが無線フレームのサブフレーム２、サブフレーム３、若しくはサブフレーム４に対応し、前記サブフレームｎが無線フレームのサブフレーム２に対応するとき、前記集合Ｋが｛７，６，１１｝であり、前記サブフレームｎが無線フレームのサブフレーム３に対応するとき、前記集合Ｋが｛６，５｝であり、若しくは、前記サブフレームｎが無線フレームのサブフレーム４に対応するとき、前記集合Ｋが｛５，４｝であること、
前記参照アップリンク−ダウンリンク構成がアップリンク−ダウンリンク構成４であるとき、前記サブフレームｎが無線フレームのサブフレーム２及びサブフレーム３に対応し、前記サブフレームｎが無線フレームのサブフレーム２に対応するとき、前記集合Ｋが｛１２，８，７，１１｝であり、若しくは、前記サブフレームｎが無線フレームのサブフレーム３に対応するとき、前記集合Ｋが｛６，５，４，７｝であること、
前記参照アップリンク−ダウンリンク構成がアップリンク−ダウンリンク構成５であるとき、前記サブフレームｎが無線フレームのサブフレーム２に対応し、前記集合Ｋが｛１３，１２，９，８，７，５，４，１１，６｝であること、又は
前記参照アップリンク−ダウンリンク構成がアップリンク−ダウンリンク構成６であるとき、前記サブフレームｎが無線フレームのサブフレーム２、サブフレーム３、サブフレーム４、サブフレーム７、若しくはサブフレーム８に対応し、前記サブフレームｎが無線フレームのサブフレーム２、サブフレーム３、サブフレーム７、若しくはサブフレーム８に対応するとき、前記集合Ｋが｛７｝であり、若しくは、前記サブフレームｎが無線フレームのサブフレーム４に対応するとき、前記集合Ｋが｛５｝であること
を含む、請求項１５に記載のユーザ機器。
【請求項１７】
前記参照アップリンク−ダウンリンク構成が前記第１のサービングセルのアップリンク−ダウンリンク構成であり、前記第１のサービングセルの前記アップリンク−ダウンリンク構成が、無線フレームでの第１のサブフレーム、第２のサブフレーム、ダウンリンクサブフレーム、及びアップリンクサブフレームの配置を示す、請求項１５又は１６に記載のユーザ機器。
【請求項１８】
基地局であって、
ユーザ機器に対して、前記ユーザ機器のサービングセルである、サブフレームｎ−ｋの第１のサービングセルで、ダウンリンクセミパーシステントスケジューリングＳＰＳリリースを示す物理ダウンリンク共有チャネルＰＤＳＣＨ又はダウンリンク制御チャネルを送信するように構成された送信モジュールと、
サブフレームｎで、前記ユーザ機器により送信され、前記第１のサービングセルのものであり前記サブフレームｎ−ｋに含まれる前記ＰＤＳＣＨ又は前記ダウンリンク制御チャネルに対応するハイブリッド自動再送要求−肯定応答ＨＡＲＱ−ＡＣＫを受信するように構成された受信モジュールとを含み、
ｎが整数であり、ｋが正の整数であり、ｋが集合Ｋに属し、処理モジュールにより前記ユーザ機器に対して設定されたＨＡＲＱ−ＡＣＫタイミングに応じて前記集合Ｋが判定され、
前記処理モジュールにより前記ユーザ機器に対して設定された前記ＨＡＲＱ−ＡＣＫタイミングが第１のＨＡＲＱ−ＡＣＫタイミングであるとき、前記集合Ｋが１つの要素のみを含み、前記サブフレームｎが短縮サブフレームに基づくフレーム構造においてダウンリンク伝送に使用される第１のサブフレーム、若しくは前記短縮サブフレームに基づく前記フレーム構造においてアップリンク伝送に使用される第２のサブフレームであるか、又は
前記処理モジュールにより前記ユーザ機器に対して設定された前記ＨＡＲＱ−ＡＣＫタイミングが第２のＨＡＲＱ−ＡＣＫタイミングであるとき、前記集合Ｋが少なくとも１つの要素を含み、前記サブフレームｎが前記第２のサブフレームである、基地局。
【請求項１９】
前記処理モジュールにより前記ユーザ機器に対して設定された前記ＨＡＲＱ−ＡＣＫタイミングが前記第１のＨＡＲＱ−ＡＣＫタイミングであるとき、前記集合Ｋが｛３｝又は｛４｝である、請求項１８に記載の基地局。
【請求項２０】
前記処理モジュールにより前記ユーザ機器に対して設定された前記ＨＡＲＱ−ＡＣＫタイミングが第２のＨＡＲＱ−ＡＣＫタイミングであるとき、前記第１のサービングセルの参照アップリンク−ダウンリンク構成に応じて前記集合Ｋが判定される、請求項１８に記載の基地局。
【請求項２１】
前記処理モジュールにより前記ユーザ機器に対して設定された前記ＨＡＲＱ−ＡＣＫタイミングが前記第２のＨＡＲＱ−ＡＣＫタイミングであるとき、前記第１のサービングセルの参照アップリンク−ダウンリンク構成に応じて前記集合Ｋが判定されることが、
前記参照アップリンク−ダウンリンク構成がアップリンク−ダウンリンク構成０であるとき、前記サブフレームｎが無線フレームのサブフレーム２、サブフレーム４、サブフレーム７、若しくはサブフレーム９に対応し、前記サブフレームｎが無線フレームのサブフレーム２若しくはサブフレーム７に対応するとき、前記集合Ｋが｛６｝であり、若しくは、前記サブフレームｎが無線フレームのサブフレーム４若しくはサブフレーム９に対応するとき、前記集合Ｋが｛４｝であること、
前記参照アップリンク−ダウンリンク構成がアップリンク−ダウンリンク構成１であるとき、前記サブフレームｎが無線フレームのサブフレーム２、サブフレーム３、サブフレーム７、若しくはサブフレーム８に対応し、前記サブフレームｎが無線フレームのサブフレーム２若しくはサブフレーム７に対応するとき、前記集合Ｋが｛７，６｝であり、若しくは、前記サブフレームｎが無線フレームのサブフレーム３若しくはサブフレーム８に対応するとき、前記集合Ｋが｛４｝であること、
前記参照アップリンク−ダウンリンク構成がアップリンク−ダウンリンク構成２であるとき、前記サブフレームｎが無線フレームのサブフレーム２若しくはサブフレーム７に対応し、前記集合Ｋが｛８，７，４，６｝であること、
前記参照アップリンク−ダウンリンク構成がアップリンク−ダウンリンク構成３であるとき、前記サブフレームｎが無線フレームのサブフレーム２、サブフレーム３、若しくはサブフレーム４に対応し、前記サブフレームｎが無線フレームのサブフレーム２に対応するとき、前記集合Ｋが｛７，６，１１｝であり、前記サブフレームｎが無線フレームのサブフレーム３に対応するとき、前記集合Ｋが｛６，５｝であり、若しくは、前記サブフレームｎが無線フレームのサブフレーム４に対応するとき、前記集合Ｋが｛５，４｝であること、
前記参照アップリンク−ダウンリンク構成がアップリンク−ダウンリンク構成４であるとき、前記サブフレームｎが無線フレームのサブフレーム２及びサブフレーム３に対応し、前記サブフレームｎが無線フレームのサブフレーム２に対応するとき、前記集合Ｋが｛１２，８，７，１１｝であり、若しくは、前記サブフレームｎが無線フレームのサブフレーム３に対応するとき、前記集合Ｋが｛６，５，４，７｝であること、
前記参照アップリンク−ダウンリンク構成がアップリンク−ダウンリンク構成５であるとき、前記サブフレームｎが無線フレームのサブフレーム２に対応し、前記集合Ｋが｛１３，１２，９，８，７，５，４，１１，６｝であること、又は
前記参照アップリンク−ダウンリンク構成がアップリンク−ダウンリンク構成６であるとき、前記サブフレームｎが無線フレームのサブフレーム２、サブフレーム３、サブフレーム４、サブフレーム７、若しくはサブフレーム８に対応し、前記サブフレームｎが無線フレームのサブフレーム２、サブフレーム３、サブフレーム７、若しくはサブフレーム８に対応するとき、前記集合Ｋが｛７｝であり、若しくは、前記サブフレームｎが無線フレームのサブフレーム４に対応するとき、前記集合Ｋが｛５｝であること
を含む、請求項２０に記載の基地局。
【請求項２２】
前記参照アップリンク−ダウンリンク構成が前記第１のサービングセルのアップリンク−ダウンリンク構成であり、前記第１のサービングセルの前記アップリンク−ダウンリンク構成が、無線フレームでの第１のサブフレーム、第２のサブフレーム、ダウンリンクサブフレーム、及びアップリンクサブフレームの配置を示す、請求項２０又は２１に記載の基地局。
【請求項２３】
前記処理モジュールが、前記第１のサービングセルの参照アップリンク−ダウンリンク構成を、前記ユーザ機器に対して設定するように構成され、前記第１のサービングセルの前記参照アップリンク−ダウンリンク構成が、前記第１のサービングセルのＨＡＲＱ−ＡＣＫタイミングを決定する、請求項１８から２２のいずれか一項に記載の基地局。
【請求項２４】
前記ＨＡＲＱ−ＡＣＫタイミングを、前記ユーザ機器に対して設定するように構成された処理モジュールであって、当該処理モジュールにより前記ユーザ機器に対して設定された前記ＨＡＲＱ−ＡＣＫタイミングが第１のＨＡＲＱ−ＡＣＫタイミング又は第２のＨＡＲＱ−ＡＣＫタイミングを含む、処理モジュール
を含む、請求項１８から２３のいずれか一項に記載の基地局。
【請求項２５】
プログラムが記録されたコンピュータ読み取り可能な記憶媒体であって、前記プログラムが、請求項１から１２のいずれか一項に記載の方法をコンピュータに実行させる、コンピュータ読み取り可能な記憶媒体。
【発明の詳細な説明】
【技術分野】
【０００１】
本発明の実施例は、ワイヤレス通信技術の分野に関し、特にハイブリッド自動再送要求−肯定応答伝送方法及び装置に関する。
【背景技術】
【０００２】
ハイブリッド自動再送要求（Ｈｙｂｒｉｄ  Ａｕｔｏｍａｔｉｃ  Ｒｅｐｅａｔ  Ｒｅｑｕｅｓｔ，ＨＡＲＱ）は、前方誤り訂正（Ｆｏｒｗａｒｄ  Ｅｒｒｏｒ  Ｃｏｒｒｅｃｔｉｏｎ，ＦＥＣ）コードと自動再送要求（Ａｕｔｏｍａｔｉｃ  Ｒｅｐｅａｔ  Ｒｅｑｕｅｓｔ，ＡＲＱ）を組み合わせることによって形成される技術である。ロングタームエボリューション（Ｌｏｎｇ  Ｔｅｒｍ  Ｅｖｏｌｕｔｉｏｎ，ＬＴＥ）システムでは、ＨＡＲＱをサポートするために、端末は、物理アップリンク制御チャネル（Ｐｈｙｓｉｃａｌ  Ｕｐｌｉｎｋ  Ｃｏｎｔｒｏｌ  Ｃｈａｎｎｅｌ，ＰＵＣＣＨ）及び物理アップリンク共有チャネル（Ｐｈｙｓｉｃａｌ  Ｕｐｌｉｎｋ  Ｓｈａｒｅｄ  Ｃｈａｎｎｅｌ，ＰＵＳＣＨ）を使用して、ＨＡＲＱ−肯定応答（ＨＡＲＱ  Ａｃｋｎｏｗｌｅｄｇｍｅｎｔ，ＨＡＲＱ−ＡＣＫ）を基地局にフィードバックする必要がある。ＨＡＲＱ−ＡＣＫは、肯定応答（Ａｃｋｎｏｗｌｅｄｇｍｅｎｔ，ＡＣＫ）及び否定応答（Ｎｅｇａｔｉｖｅ  Ａｃｋｎｏｗｌｅｄｇｍｅｎｔ，ＮＡＣＫ）を含む。
【０００３】
既存のＬＴＥシステムは、２つのタイプの無線フレーム構造を含む。フレーム構造タイプ１は周波数分割複信（Ｆｒｅｑｕｅｎｃｙ−Ｄｉｖｉｓｉｏｎ  Ｄｕｐｌｅｘ，ＦＤＤ）に適用され、フレーム構造タイプ２は時分割複信（Ｔｉｍｅ  Ｄｉｖｉｓｉｏｎ  Ｄｕｐｌｅｘ，ＴＤＤ）に適用される。フレーム構造タイプ１が図１に示され、フレーム構造タイプ２が図２に示されている。図１は、既存のＬＴＥシステムにおけるフレーム構造タイプ１の概略構造図である。図２は、既存のＬＴＥシステムにおけるフレーム構造タイプ２の概略構造図である。図２に示されているフレーム構造タイプ２で、ＤｗＰＴＳはダウンリンクパイロットタイムスロット（Ｄｏｗｎｌｉｎｋ  Ｐｉｌｏｔ  ｔｉｍｅｓｌｏｔ，ＤｗＰＴＳ）、ＵｐＰＴＳはアップリンクパイロットタイムスロット（Ｕｐｌｉｎｋ  Ｐｉｌｏｔ  ｔｉｍｅｓｌｏｔ，ＵｐＰＴＳ）、及びＧＰはガード期間（Ｇｕａｒｄ  Ｐｅｒｉｏｄ，ＧＰ）である。フレーム構造タイプ１及びフレーム構造タイプ２の両方について、各無線フレームは１０個のサブフレームを含み、各サブフレーム（Ｓｕｂｆｒａｍｅ）の長さは１ミリ秒（ｍｓ）である。ＴＤＤの場合、既存のＬＴＥシステムでは、表１に示されているように、７つのタイプのアップリンク−ダウンリンク構成が存在する。
【０００４】
表１で、Ｄはダウンリンクサブフレーム、Ｕはアップリンクサブフレーム、及びＳは特殊サブフレームである。
【０００５】
既存のＬＴＥシステムでは、ＦＤＤの場合、ダウンリンクサブフレームｎ−４で送信される物理ダウンリンク共有チャネル（Ｐｈｙｓｉｃａｌ  Ｄｏｗｎｌｉｎｋ  Ｓｈａｒｅｄ  Ｃｈａｎｎｅｌ，ＰＤＳＣＨ）に対応するＨＡＲＱ−ＡＣＫが、アップリンクサブフレームｎでフィードバックされる。ＴＤＤの場合、ダウンリンクサブフレームｎ−ｋで送信されるＰＤＳＣＨに対応するＨＡＲＱ−ＡＣＫが、アップリンクサブフレームｎでフィードバックされ、ｋは集合Ｋに属する。すべてのＴＤＤアップリンク−ダウンリンク構成の場合、Ｋに対応する集合は、表２に示されている。
【０００６】
【表１】
0006561130.tif 000002
【０００７】
【表２】
0006561130.tif 000003
【０００８】
将来の進化型ＬＴＥシステムでは、サービス遅延を低減するために、各サブフレームの長さが短縮され、たとえば、各サブフレームの長さが０．２ｍｓに短縮され、新しいサブフレームタイプ１と新しいサブフレームタイプ２が導入される。たとえば、図３は、各サブフレームの長さが０．２ｍｓである新しいサブフレームタイプ１の概略構造図である。図４は、各サブフレームの長さが０．２ｍｓである新しいサブフレームタイプ２の概略構造図である。時間の点で短縮されたサブフレームは、短縮サブフレーム若しくは超短縮サブフレームと呼ばれ得るか、又は短縮送信時間間隔（Ｔｒａｎｓｍｉｓｓｉｏｎ  Ｔｉｍｅ  Ｉｎｔｅｒｖａｌ，ＴＴＩ）若しくは超短縮ＴＴＩと呼ばれ得る。短縮サブフレームの長さが０．２ｍｓであるとき、短縮サブフレームは、１１個のシンボル（それは、シングルキャリア周波数分割多重アクセス（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ，ＳＣ−ＦＤＭＡ）シンボルであり得る）を時間ドメイン内に含み得る。たとえば、図３に示されているように、新しいサブフレームタイプ１の場合、最初の９個のシンボルがダウンリンク伝送に使用され、１つのシンボルがガード期間（Ｇｕａｒｄ  Ｐｅｒｉｏｄ，ＧＰ）に使用され、１つのシンボルがアップリンク伝送に使用される。たとえば、図４に示されているように、新しいサブフレームタイプ２の場合、最初のシンボルがダウンリンク伝送に使用され、１つのシンボルがＧＰに使用され、残りの９個のシンボルがアップリンク伝送に使用される。
【０００９】
短縮サブフレームに基づくフレーム構造が使用されるとき、ＨＡＲＱ−ＡＣＫをフィードバックする方法を設計し直す必要がある。それにより、新しいサブフレーム構造が使用されるときに、システムが低サービス遅延要件を有するサービスを提供できるようにし、新しいサブフレーム構造の十分な大きさのカバレッジを確保できるようにする。
【発明の概要】
【００１０】
本発明の実施例は、システムが低サービス遅延要件を有するサービスを提供できるようにし、新しいサブフレーム構造の十分な大きさのカバレッジを確保できるようにする、ＨＡＲＱ−ＡＣＫフィードバック用のハイブリッド自動再送要求−肯定応答伝送方法及び装置を提供する。
【００１１】
第１の態様によれば、ハイブリッド自動再送要求−肯定応答伝送方法であって、
ユーザ機器により、ユーザ機器のサービングセルである、サブフレームｎ−ｋの第１のサービングセルで、ダウンリンクＳＰＳリリースを示すＰＤＳＣＨ又はダウンリンク制御チャネルを受信するステップと、
ユーザ機器により、サブフレームｎで、第１のサービングセルのものでありサブフレームｎ−ｋに含まれるＰＤＳＣＨ又はダウンリンク制御チャネルに対応するＨＡＲＱ−ＡＣＫを送信するステップとを含み、
ｎが整数であり、ｋが正の整数であり、ｋが集合Ｋに属し、設定されたＨＡＲＱ−ＡＣＫタイミングに応じて集合Ｋが判定され、設定されたＨＡＲＱ−ＡＣＫタイミングが第１のＨＡＲＱ−ＡＣＫタイミング又は第２のＨＡＲＱ−ＡＣＫタイミングを含む、方法が提供される。
【００１２】
第１の態様に関連して、第１の態様の第１の可能な実装方式では、設定されたＨＡＲＱ−ＡＣＫタイミングが第１のＨＡＲＱ−ＡＣＫタイミングであるとき、集合Ｋは１つの要素のみを含み、サブフレームｎは第１のサブフレーム、第２のサブフレーム、若しくはアップリンクサブフレームであるか、又は
設定されたＨＡＲＱ−ＡＣＫタイミングが第２のＨＡＲＱ−ＡＣＫタイミングであるとき、集合Ｋは少なくとも１つの要素を含み、サブフレームｎは第２のサブフレーム若しくはアップリングサブフレームである。
【００１３】
第１の態様の第１の可能な実装方式に関連して、第１の態様の第２の可能な実装方式では、設定されたＨＡＲＱ−ＡＣＫタイミングが第１のＨＡＲＱ−ＡＣＫタイミングであるとき、集合Ｋは｛３｝又は｛４｝である。
【００１４】
第１の態様又は第１の態様の第１の可能な実装方式に関連して、第１の態様の第３の可能な実装方式では、設定されたＨＡＲＱ−ＡＣＫタイミングが第２のＨＡＲＱ−ＡＣＫタイミングであるとき、第１のサービングセルの参照アップリンク−ダウンリンク構成に応じて集合Ｋが判定される。
【００１５】
第１の態様の第３の可能な実装方式に関連して、第１の態様の第４の可能な実装方式では、設定されたＨＡＲＱ−ＡＣＫタイミングが第２のＨＡＲＱ−ＡＣＫタイミングであるとき、第１のサービングセルの参照アップリンク−ダウンリンク構成に応じて集合Ｋが判定されることは、
参照アップリンク−ダウンリンク構成がアップリンク−ダウンリンク構成０であるとき、サブフレームｎが無線フレームのサブフレーム２、サブフレーム４、サブフレーム７、若しくはサブフレーム９に対応し、サブフレームｎが無線フレームのサブフレーム２若しくはサブフレーム７に対応するとき、集合Ｋが｛６｝であり、若しくは、サブフレームｎが無線フレームのサブフレーム４若しくはサブフレーム９に対応するとき、集合Ｋが｛４｝であること、
参照アップリンク−ダウンリンク構成がアップリンク−ダウンリンク構成１であるとき、サブフレームｎが無線フレームのサブフレーム２、サブフレーム３、サブフレーム７、若しくはサブフレーム８に対応し、サブフレームｎが無線フレームのサブフレーム２若しくはサブフレーム７に対応するとき、集合Ｋが｛７，６｝であり、若しくは、サブフレームｎが無線フレームのサブフレーム３若しくはサブフレーム８に対応するとき、集合Ｋが｛４｝であること、
参照アップリンク−ダウンリンク構成がアップリンク−ダウンリンク構成２であるとき、サブフレームｎが無線フレームのサブフレーム２若しくはサブフレーム７に対応し、集合Ｋが｛８，７，４，６｝であること、
参照アップリンク−ダウンリンク構成がアップリンク−ダウンリンク構成３であるとき、サブフレームｎが無線フレームのサブフレーム２、サブフレーム３、若しくはサブフレーム４に対応し、サブフレームｎが無線フレームのサブフレーム２に対応するとき、集合Ｋが｛７，６，１１｝であり、サブフレームｎが無線フレームのサブフレーム３に対応するとき、集合Ｋが｛６，５｝であり、若しくは、サブフレームｎが無線フレームのサブフレーム４に対応するとき、集合Ｋが｛５，４｝であること、
参照アップリンク−ダウンリンク構成がアップリンク−ダウンリンク構成４であるとき、サブフレームｎが無線フレームのサブフレーム２及びサブフレーム３に対応し、サブフレームｎが無線フレームのサブフレーム２に対応するとき、集合Ｋが｛１２，８，７，１１｝であり、若しくは、サブフレームｎが無線フレームのサブフレーム３に対応するとき、集合Ｋが｛６，５，４，７｝であること、
参照アップリンク−ダウンリンク構成がアップリンク−ダウンリンク構成５であるとき、サブフレームｎが無線フレームのサブフレーム２に対応し、集合Ｋが｛１３，１２，９，８，７，５，４，１１，６｝であること、又は
参照アップリンク−ダウンリンク構成がアップリンク−ダウンリンク構成６であるとき、サブフレームｎが無線フレームのサブフレーム２、サブフレーム３、サブフレーム４、サブフレーム７、若しくはサブフレーム８に対応し、サブフレームｎが無線フレームのサブフレーム２、サブフレーム３、サブフレーム７、若しくはサブフレーム８に対応するとき、集合Ｋが｛７｝であり、若しくは、サブフレームｎが無線フレームのサブフレーム４に対応するとき、集合Ｋが｛５｝であることを含む。
【００１６】
第１の態様の第３又は第４の可能な実装方式に関連して、第１の態様の第５の可能な実装方式では、参照アップリンク−ダウンリンク構成は第１のサービングセルのアップリンク−ダウンリンク構成であり、第１のサービングセルのアップリンク−ダウンリンク構成は、無線フレームでの第１のサブフレーム、第２のサブフレーム、ダウンリンクサブフレーム、及びアップリンクサブフレームの配置を示す。
【００１７】
第２の態様によれば、ハイブリッド自動再送要求−肯定応答伝送方法であって、
基地局により、ユーザ機器に対して、ユーザ機器のサービングセルである、サブフレームｎ−ｋの第１のサービングセルで、ダウンリンクＳＰＳリリースを示すＰＤＳＣＨ又はダウンリンク制御チャネルを送信するステップと、
基地局により、サブフレームｎで、ユーザ機器により送信され、第１のサービングセルのものでありサブフレームｎ−ｋに含まれるＰＤＳＣＨ又はダウンリンク制御チャネルに対応するハイブリッド自動再送要求−肯定応答ＨＡＲＱ−ＡＣＫを受信するステップとを含み、
ｎが整数であり、ｋが正の整数であり、ｋが集合Ｋに属し、基地局によりユーザ機器に対して設定されたＨＡＲＱ−ＡＣＫタイミングに応じて集合Ｋが判定される、方法が提供される。
【００１８】
第２の態様に関連して、
基地局により、ＨＡＲＱ−ＡＣＫタイミングを、ユーザ機器に対して設定するステップであって、基地局によりユーザ機器に対して設定されたＨＡＲＱ−ＡＣＫタイミングが第１のＨＡＲＱ−ＡＣＫタイミング又は第２のＨＡＲＱ−ＡＣＫタイミングを含む、ステップを含む、方法が提供される。
【００１９】
第２の態様に関連して、第２の態様の第１の可能な実装方式では、基地局によりユーザ機器に対して設定されたＨＡＲＱ−ＡＣＫタイミングが第１のＨＡＲＱ−ＡＣＫタイミングであるとき、集合Ｋは１つの要素のみを含み、サブフレームｎは第１のサブフレーム、第２のサブフレーム、若しくはアップリンクサブフレームであるか、又は
基地局によりユーザ機器に対して設定されたＨＡＲＱ−ＡＣＫタイミングが第２のＨＡＲＱ−ＡＣＫタイミングであるとき、集合Ｋは少なくとも１つの要素を含み、サブフレームｎは第２のサブフレーム若しくはアップリンクサブフレームである。
【００２０】
第２の態様の第１の可能な実装方式に関連して、第２の態様の第２の可能な実装方式では、基地局によりユーザ機器に対して設定されたＨＡＲＱ−ＡＣＫタイミングが第１のＨＡＲＱ−ＡＣＫタイミングであるとき、集合Ｋは｛３｝又は｛４｝である。
【００２１】
第２の態様又は第２の態様の第１の可能な実装方式に関連して、第２の態様の第３の可能な実装方式では、基地局によりユーザ機器に対して設定されたＨＡＲＱ−ＡＣＫタイミングが第２のＨＡＲＱ−ＡＣＫタイミングであるとき、第１のサービングセルの参照アップリンク−ダウンリンク構成に応じて集合Ｋが判定される。
【００２２】
第２の態様の第３の可能な実装方式に関連して、第２の態様の第４の可能な実装方式では、基地局によりユーザ機器に対して設定されたＨＡＲＱ−ＡＣＫタイミングが第２のＨＡＲＱ−ＡＣＫタイミングであるとき、第１のサービングセルの参照アップリンク−ダウンリンク構成に応じて集合Ｋが判定されることは、
参照アップリンク−ダウンリンク構成がアップリンク−ダウンリンク構成０であるとき、サブフレームｎが無線フレームのサブフレーム２、サブフレーム４、サブフレーム７、若しくはサブフレーム９に対応し、サブフレームｎが無線フレームのサブフレーム２若しくはサブフレーム７に対応するとき、集合Ｋが｛６｝であり、若しくは、サブフレームｎが無線フレームのサブフレーム４若しくはサブフレーム９に対応するとき、集合Ｋが｛４｝であること、
参照アップリンク−ダウンリンク構成がアップリンク−ダウンリンク構成１であるとき、サブフレームｎが無線フレームのサブフレーム２、サブフレーム３、サブフレーム７、若しくはサブフレーム８に対応し、サブフレームｎが無線フレームのサブフレーム２若しくはサブフレーム７に対応するとき、集合Ｋが｛７，６｝であり、若しくは、サブフレームｎが無線フレームのサブフレーム３若しくはサブフレーム８に対応するとき、集合Ｋが｛４｝であること、
参照アップリンク−ダウンリンク構成がアップリンク−ダウンリンク構成２であるとき、サブフレームｎが無線フレームのサブフレーム２若しくはサブフレーム７に対応し、集合Ｋが｛８，７，４，６｝であること、
参照アップリンク−ダウンリンク構成がアップリンク−ダウンリンク構成３であるとき、サブフレームｎが無線フレームのサブフレーム２、サブフレーム３、若しくはサブフレーム４に対応し、サブフレームｎが無線フレームのサブフレーム２に対応するとき、集合Ｋが｛７，６，１１｝であり、サブフレームｎが無線フレームのサブフレーム３に対応するとき、集合Ｋが｛６，５｝であり、若しくは、サブフレームｎが無線フレームのサブフレーム４に対応するとき、集合Ｋが｛５，４｝であること、
参照アップリンク−ダウンリンク構成がアップリンク−ダウンリンク構成４であるとき、サブフレームｎが無線フレームのサブフレーム２及びサブフレーム３に対応し、サブフレームｎが無線フレームのサブフレーム２に対応するとき、集合Ｋが｛１２，８，７，１１｝であり、若しくは、サブフレームｎが無線フレームのサブフレーム３に対応するとき、集合Ｋが｛６，５，４，７｝であること、
参照アップリンク−ダウンリンク構成がアップリンク−ダウンリンク構成５であるとき、サブフレームｎが無線フレームのサブフレーム２に対応し、集合Ｋが｛１３，１２，９，８，７，５，４，１１，６｝であること、又は
参照アップリンク−ダウンリンク構成がアップリンク−ダウンリンク構成６であるとき、サブフレームｎが無線フレームのサブフレーム２、サブフレーム３、サブフレーム４、サブフレーム７、若しくはサブフレーム８に対応し、サブフレームｎが無線フレームのサブフレーム２、サブフレーム３、サブフレーム７、若しくはサブフレーム８に対応するとき、集合Ｋが｛７｝であり、若しくは、サブフレームｎが無線フレームのサブフレーム４に対応するとき、集合Ｋが｛５｝であることを含む。
【００２３】
第２の態様の第３及び第４の可能な実装方式に関連して、第２の態様の第５の可能な実装方式では、参照アップリンク−ダウンリンク構成は第１のサービングセルのアップリンク−ダウンリンク構成であり、第１のサービングセルのアップリンク−ダウンリンク構成は、無線フレームでの第１のサブフレーム、第２のサブフレーム、ダウンリンクサブフレーム、及びアップリンクサブフレームの配置を示す。
【００２４】
第２の態様又は第２の態様の第１から第５の可能な実装方式のいずれか１つに関連して、第２の態様の第６の可能な実装方式では、基地局により、ＨＡＲＱ−ＡＣＫタイミングを、ユーザ機器に対して設定するステップは、
基地局により、第１のサービングセルの参照アップリンク−ダウンリンク構成を、ユーザ機器に対して設定するステップを含み、第１のサービングセルの参照アップリンク−ダウンリンク構成は、第１のサービングセルのＨＡＲＱ−ＡＣＫタイミングを決定する。
【００２５】
第３の態様によれば、ユーザ機器であって、
ユーザ機器のサービングセルである、サブフレームｎ−ｋの第１のサービングセルで、ダウンリンクＳＰＳリリースを示すＰＤＳＣＨ又はダウンリンク制御チャネルを受信するように構成された受信モジュールと、
サブフレームｎで、第１のサービングセルのものでありサブフレームｎ−ｋに含まれるＰＤＳＣＨ又はダウンリンク制御チャネルに対応するＨＡＲＱ−ＡＣＫを送信するように構成された送信モジュールとを含み、
ｎが整数であり、ｋが正の整数であり、ｋが集合Ｋに属し、設定されたＨＡＲＱ−ＡＣＫタイミングに応じて集合Ｋが判定され、設定されたＨＡＲＱ−ＡＣＫタイミングが第１のＨＡＲＱ−ＡＣＫタイミング又は第２のＨＡＲＱ−ＡＣＫタイミングを含む、ユーザ機器が提供される。
【００２６】
第３の態様に関連して、第３の態様の第１の可能な実装方式では、設定されたＨＡＲＱ−ＡＣＫタイミングが第１のＨＡＲＱ−ＡＣＫタイミングであるとき、集合Ｋは１つの要素のみを含み、サブフレームｎは第１のサブフレーム、第２のサブフレーム、若しくはアップリンクサブフレームであるか、又は
設定されたＨＡＲＱ−ＡＣＫタイミングが第２のＨＡＲＱ−ＡＣＫタイミングであるとき、集合Ｋは少なくとも１つの要素を含み、サブフレームｎは第２のサブフレーム若しくはアップリンクサブフレームである。
【００２７】
第３の態様の第１の可能な実装方式に関連して、第３の態様の第２の可能な実装方式では、設定されたＨＡＲＱ−ＡＣＫタイミングが第１のＨＡＲＱ−ＡＣＫタイミングであるとき、集合Ｋは｛３｝又は｛４｝である。
【００２８】
第３の態様又は第３の態様の第１の可能な実装方式に関連して、第３の態様の第３の可能な実装方式では、設定されたＨＡＲＱ−ＡＣＫタイミングが第２のＨＡＲＱ−ＡＣＫタイミングであるとき、第１のサービングセルの参照アップリンク−ダウンリンク構成に応じて集合Ｋが判定される。
【００２９】
第３の態様の第３の可能な実装方式に関連して、第３の態様の第４の可能な実装方式では、設定されたＨＡＲＱ−ＡＣＫタイミングが第２のＨＡＲＱ−ＡＣＫタイミングであるとき、第１のサービングセルの参照アップリンク−ダウンリンク構成に応じて集合Ｋが判定されることは、
参照アップリンク−ダウンリンク構成がアップリンク−ダウンリンク構成０であるとき、サブフレームｎが無線フレームのサブフレーム２、サブフレーム４、サブフレーム７、若しくはサブフレーム９に対応し、サブフレームｎが無線フレームのサブフレーム２若しくはサブフレーム７に対応するとき、集合Ｋが｛６｝であり、若しくは、サブフレームｎが無線フレームのサブフレーム４若しくはサブフレーム９に対応するとき、集合Ｋが｛４｝であること、
参照アップリンク−ダウンリンク構成がアップリンク−ダウンリンク構成１であるとき、サブフレームｎが無線フレームのサブフレーム２、サブフレーム３、サブフレーム７、若しくはサブフレーム８に対応し、サブフレームｎが無線フレームのサブフレーム２若しくはサブフレーム７に対応するとき、集合Ｋが｛７，６｝であり、若しくは、サブフレームｎが無線フレームのサブフレーム３若しくはサブフレーム８に対応するとき、集合Ｋが｛４｝であること、
参照アップリンク−ダウンリンク構成がアップリンク−ダウンリンク構成２であるとき、サブフレームｎが無線フレームのサブフレーム２若しくはサブフレーム７に対応し、集合Ｋが｛８，７，４，６｝であること、
参照アップリンク−ダウンリンク構成がアップリンク−ダウンリンク構成３であるとき、サブフレームｎが無線フレームのサブフレーム２、サブフレーム３、若しくはサブフレーム４に対応し、サブフレームｎが無線フレームのサブフレーム２に対応するとき、集合Ｋが｛７，６，１１｝であり、サブフレームｎが無線フレームのサブフレーム３に対応するとき、集合Ｋが｛６，５｝であり、若しくは、サブフレームｎが無線フレームのサブフレーム４に対応するとき、集合Ｋが｛５，４｝であること、
参照アップリンク−ダウンリンク構成がアップリンク−ダウンリンク構成４であるとき、サブフレームｎが無線フレームのサブフレーム２及びサブフレーム３に対応し、サブフレームｎが無線フレームのサブフレーム２に対応するとき、集合Ｋが｛１２，８，７，１１｝であり、若しくは、サブフレームｎが無線フレームのサブフレーム３に対応するとき、集合Ｋが｛６，５，４，７｝であること、
参照アップリンク−ダウンリンク構成がアップリンク−ダウンリンク構成５であるとき、サブフレームｎが無線フレームのサブフレーム２に対応し、集合Ｋが｛１３，１２，９，８，７，５，４，１１，６｝であること、又は
参照アップリンク−ダウンリンク構成がアップリンク−ダウンリンク構成６であるとき、サブフレームｎが無線フレームのサブフレーム２、サブフレーム３、サブフレーム４、サブフレーム７、若しくはサブフレーム８に対応し、サブフレームｎが無線フレームのサブフレーム２、サブフレーム３、サブフレーム７、若しくはサブフレーム８に対応するとき、集合Ｋが｛７｝であり、若しくは、サブフレームｎが無線フレームのサブフレーム４に対応するとき、集合Ｋが｛５｝であることを含む。
【００３０】
第３の態様の第３又は第４の可能な実装方式に関連して、第３の態様の第５の可能な実装方式では、参照アップリンク−ダウンリンク構成は第１のサービングセルのアップリンク−ダウンリンク構成であり、第１のサービングセルのアップリンク−ダウンリンク構成は、無線フレームでの第１のサブフレーム、第２のサブフレーム、ダウンリンクサブフレーム、及びアップリンクサブフレームの配置を示す。
【００３１】
第４の態様によれば、基地局であって、
ユーザ機器に対して、ユーザ機器のサービングセルである、サブフレームｎ−ｋの第１のサービングセルで、ダウンリンクＳＰＳリリースを示すＰＤＳＣＨ又はダウンリンク制御チャネルを送信するように構成された送信モジュールと、
サブフレームｎで、ユーザ機器により送信され、第１のサービングセルのものでありサブフレームｎ−ｋに含まれるＰＤＳＣＨ又はダウンリンク制御チャネルに対応するハイブリッド自動再送要求−肯定応答ＨＡＲＱ−ＡＣＫを受信するように構成された受信モジュールとを含み、
ｎが整数であり、ｋが正の整数であり、ｋが集合Ｋに属し、処理モジュールによりユーザ機器に対して設定されたＨＡＲＱ−ＡＣＫタイミングに応じて集合Ｋが判定される、基地局が提供される。
【００３２】
第４の態様に関連して、
ＨＡＲＱ−ＡＣＫタイミングを、ユーザ機器に対して設定するように構成された処理モジュールであって、当該処理モジュールによりユーザ機器に対して設定されたＨＡＲＱ−ＡＣＫタイミングが第１のＨＡＲＱ−ＡＣＫタイミング又は第２のＨＡＲＱ−ＡＣＫタイミングを含む、処理モジュールを含む、基地局が提供される。
【００３３】
第４の態様に関連して、第４の態様の第１の可能な実装方式では、処理モジュールによりユーザ機器に対して設定されたＨＡＲＱ−ＡＣＫタイミングが第１のＨＡＲＱ−ＡＣＫタイミングであるとき、集合Ｋは１つの要素のみを含み、サブフレームｎは第１のサブフレーム、第２のサブフレーム、若しくはアップリンクサブフレームであるか、又は
処理モジュールによりユーザ機器に対して設定されたＨＡＲＱ−ＡＣＫタイミングが第２のＨＡＲＱ−ＡＣＫタイミングであるとき、集合Ｋは少なくとも１つの要素を含み、サブフレームｎは第２のサブフレーム若しくはアップリンクサブフレームである。
【００３４】
第４の態様の第１の可能な実装方式に関連して、第４の態様の第２の可能な実装方式では、処理モジュールによりユーザ機器に対して設定されたＨＡＲＱ−ＡＣＫタイミングが第１のＨＡＲＱ−ＡＣＫタイミングであるとき、集合Ｋは｛３｝又は｛４｝である。
【００３５】
第４の態様又は第４の態様の第１の可能な実装方式に関連して、第４の態様の第３の可能な実装方式では、処理モジュールによりユーザ機器に対して設定されたＨＡＲＱ−ＡＣＫタイミングが第２のＨＡＲＱ−ＡＣＫタイミングであるとき、第１のサービングセルの参照アップリンク−ダウンリンク構成に応じて集合Ｋが判定される。
【００３６】
第４の態様の第３の可能な実装方式に関連して、第４の態様の第４の可能な実装方式では、処理モジュールによりユーザ機器に対して設定されたＨＡＲＱ−ＡＣＫタイミングが第２のＨＡＲＱ−ＡＣＫタイミングであるとき、第１のサービングセルの参照アップリンク−ダウンリンク構成に応じて集合Ｋが判定されることは、
参照アップリンク−ダウンリンク構成がアップリンク−ダウンリンク構成０であるとき、サブフレームｎが無線フレームのサブフレーム２、サブフレーム４、サブフレーム７、若しくはサブフレーム９に対応し、サブフレームｎが無線フレームのサブフレーム２若しくはサブフレーム７に対応するとき、集合Ｋが｛６｝であり、若しくは、サブフレームｎが無線フレームのサブフレーム４若しくはサブフレーム９に対応するとき、集合Ｋが｛４｝であること、
参照アップリンク−ダウンリンク構成がアップリンク−ダウンリンク構成１であるとき、サブフレームｎが無線フレームのサブフレーム２、サブフレーム３、サブフレーム７、若しくはサブフレーム８に対応し、サブフレームｎが無線フレームのサブフレーム２若しくはサブフレーム７に対応するとき、集合Ｋが｛７，６｝であり、若しくは、サブフレームｎが無線フレームのサブフレーム３若しくはサブフレーム８に対応するとき、集合Ｋが｛４｝であること、
参照アップリンク−ダウンリンク構成がアップリンク−ダウンリンク構成２であるとき、サブフレームｎが無線フレームのサブフレーム２若しくはサブフレーム７に対応し、集合Ｋが｛８，７，４，６｝であること、
参照アップリンク−ダウンリンク構成がアップリンク−ダウンリンク構成３であるとき、サブフレームｎが無線フレームのサブフレーム２、サブフレーム３、若しくはサブフレーム４に対応し、サブフレームｎが無線フレームのサブフレーム２に対応するとき、集合Ｋが｛７，６，１１｝であり、サブフレームｎが無線フレームのサブフレーム３に対応するとき、集合Ｋが｛６，５｝であり、若しくは、サブフレームｎが無線フレームのサブフレーム４に対応するとき、集合Ｋが｛５，４｝であること、
参照アップリンク−ダウンリンク構成がアップリンク−ダウンリンク構成４であるとき、サブフレームｎが無線フレームのサブフレーム２及びサブフレーム３に対応し、サブフレームｎが無線フレームのサブフレーム２に対応するとき、集合Ｋが｛１２，８，７，１１｝であり、若しくは、サブフレームｎが無線フレームのサブフレーム３に対応するとき、集合Ｋが｛６，５，４，７｝であること、
参照アップリンク−ダウンリンク構成がアップリンク−ダウンリンク構成５であるとき、サブフレームｎが無線フレームのサブフレーム２に対応し、集合Ｋが｛１３，１２，９，８，７，５，４，１１，６｝であること、又は
参照アップリンク−ダウンリンク構成がアップリンク−ダウンリンク構成６であるとき、サブフレームｎが無線フレームのサブフレーム２、サブフレーム３、サブフレーム４、サブフレーム７、若しくはサブフレーム８に対応し、サブフレームｎが無線フレームのサブフレーム２、サブフレーム３、サブフレーム７、若しくはサブフレーム８に対応するとき、集合Ｋが｛７｝であり、若しくは、サブフレームｎが無線フレームのサブフレーム４に対応するとき、集合Ｋが｛５｝であることを含む。
【００３７】
第４の態様の第３又は第４の可能な実装方式に関連して、第４の態様の第５の可能な実装方式では、参照アップリンク−ダウンリンク構成は第１のサービングセルのアップリンク−ダウンリンク構成であり、第１のサービングセルのアップリンク−ダウンリンク構成は、無線フレームでの第１のサブフレーム、第２のサブフレーム、ダウンリンクサブフレーム、及びアップリンクサブフレームの配置を示す。
【００３８】
第４の態様又は第４の態様の第１から第５の可能な実装方式のいずれか１つに関連して、第４の態様の第６の可能な実装方式では、
処理モジュールが、第１のサービングセルの参照アップリンク−ダウンリンク構成を、ユーザ機器に対して設定するように具体的に構成され、第１のサービングセルの参照アップリンク−ダウンリンク構成が、第１のサービングセルのＨＡＲＱ−ＡＣＫタイミングを決定する。
【００３９】
本発明の実施例で提供されるハイブリッド自動再送要求−肯定応答伝送方法及び装置によると、ＨＡＲＱ−ＡＣＫタイミングが上位層を使用して設定され、第１のＨＡＲＱ−ＡＣＫタイミング及び第２のＨＡＲＱ−ＡＣＫタイミングが提供される。セル中心のユーザの場合、第１のＨＡＲＱ−ＡＣＫタイミングが設定されることができ、それにより遅延が低減され、システムは低遅延サービスを提供することができる。セル端のユーザの場合、第２のＨＡＲＱ−ＡＣＫタイミングが設定されることができ、それによりＨＡＲＱ−ＡＣＫ性能が保証され、すなわち、システムのカバレッジが保証される。したがって、短縮サブフレーム構造が使用されるとき、システムは低サービス遅延要件を有するサービスを提供することができ、新しいサブフレーム構造の十分な大きさのカバレッジを保証することができる。
【００４０】
本発明の実施例又は従来技術の技術的解決策をより明確に説明するために、下記では、実施例又は従来技術を説明するために必要な添付の図面について簡単に説明する。明らかに、下記の説明における添付の図面は、本発明のいくつかの実施例を示しており、当業者は、これらの添付の図面から創造的労力を用いずに他の図面を導き出し得る。
【図面の簡単な説明】
【００４１】
【図１】既存のＬＴＥシステムのフレーム構造タイプ１の概略構造図である。
【図２】既存のＬＴＥシステムのフレーム構造タイプ２の概略構造図である。
【図３】新しいサブフレームタイプ１の概略構造図である。
【図４】新しいサブフレームタイプ２の概略構造図である。
【図５】本発明の実施例によるハイブリッド自動再送要求−肯定応答伝送方法の実施例１の流れ図である。
【図６】本発明の実施例によるＰＵＣＣＨ構造の概略図である。
【図７】本発明の実施例による別のＰＵＣＣＨ構造の概略図である。
【図８】本発明の実施例による更に別のＰＵＣＣＨ構造の概略図である。
【図９】本発明の実施例によるＰＵＳＣＨでのＵＣＩマッピングの概略図である。
【図１０】本発明の実施例によるハイブリッド自動再送要求−肯定応答伝送方法の実施例２の概略流れ図である。
【図１１】本発明の実施例によるユーザ機器の実施例１の概略構造図である。
【図１２】本発明の実施例による基地局の実施例１の概略構造図である。
【発明を実施するための形態】
【００４２】
本発明の実施例の目的、技術的解決策、及び利点を明らかにするために、下記では、本発明の実施例についての添付の図面を参照しながら、本発明の実施例の技術的解決策について明確且つ十分に説明する。明らかに、説明される実施例は、本発明の実施例の一部であって、すべてではない。当業者によって本発明の実施例に基づいて創造的労力なしで得られる他のすべての実施例は、本発明の保護範囲に含まれるものとする。
【００４３】
将来の進化型ＬＴＥシステムでは、サービス遅延を低減するために、短縮サブフレームに基づくフレーム構造が導入される。短縮サブフレームに基づくフレーム構造では、各サブフレームの長さが短縮され、新しいサブフレームタイプ１及び新しいサブフレームタイプ２が導入される。たとえば、各サブフレームの長さが０．２ｍｓに短縮されるとき、新しいサブフレームタイプ１の概略構造図が図３に示され、新しいサブフレームタイプ２の概略構造図が図４に示されている。各短縮サブフレームの長さは、本発明で限定されないことに留意する必要がある。たとえば、各サブフレームの長さは、代替で０．２５ｍｓに短縮され得る。この場合、各サブフレームは、１４個の時間ドメインシンボルを含む。新しいサブフレームタイプ１の１４個のシンボルのうち、ダウンリンク伝送用のシンボルが１２個、ガード期間（Ｇｕａｒｄ  Ｐｅｒｉｏｄ，ＧＰ）用のシンボルが１個のみ、アップリンク伝送用のシンボルが１個のみ、存在し得る。新しいサブフレームタイプ２の１４個のシンボルのうち、ダウンリンク伝送用のシンボルが１個のみ、ガード期間用のシンボルが１個のみ、アップリンク伝送用のシンボルが１２個、存在し得る。
【００４４】
短縮サブフレームに基づくフレーム構造において、新しいサブフレームタイプ１のサブフレームは、主としてダウンリンク伝送に使用され、第１のサブフレームと呼ばれ得る。新しいサブフレームタイプ２のサブフレームは、主としてアップリンク伝送に使用され、第２のサブフレームと呼ばれ得る。
【００４５】
短縮サブフレームに基づくフレーム構造において、フレームは、第１のサブフレーム及び第２のサブフレームのみを含み得るとともに、ダウンリンクサブフレーム及びアップリンクサブフレームを更に含み得る。アップリンクサブフレームのすべてのシンボルはアップリンク伝送に使用され、ダウンリンクサブフレームのすべてのシンボルはダウンリンク伝送に使用される。
【００４６】
短縮サブフレームに基づくフレーム構造では、各サブフレームの長さが短縮され、したがってサービス遅延が低減される。しかしながら、サブフレーム構造が変化するため、さまざまなサブフレームを含む無線フレームの構造も変化する。したがって、新しいサブフレーム構造に基づくＬＴＥシステムは、既存のＨＡＲＱ−ＡＣＫフィードバック機構を使用してＨＡＲＱ−ＡＣＫを送信することができない。短縮サブフレームの場合に、システムが低サービス遅延要件を有するサービスを提供し、カバレッジ領域を保証できることを、ＨＡＲＱ−ＡＣＫフィードバック機構が保証できるようにするために、本発明の下記の実施例は、上述した問題を解決するＨＡＲＱ−ＡＣＫ伝送方法及び装置を提供する。
【００４７】
図５は、本発明の実施例によるハイブリッド自動再送要求−肯定応答伝送方法の実施例１の流れ図である。図５に示されているように、この実施例の方法は、下記のステップを含む。
【００４８】
ステップＳ５０１．ユーザ機器は、ユーザ機器のサービングセルである、サブフレームｎ−ｋの第１のサービングセルで、ダウンリンクＳＰＳリリースを示すＰＤＳＣＨ又はダウンリンク制御チャネルを受信する。
【００４９】
具体的には、第１のサービングセルは、ユーザ機器のサービングセルである。第１のサービングセルの複信モードはＴＤＤであり得るが、第１のサービングセルの複信モードはＴＤＤに限定されない。ユーザ機器が、サブフレームｎ−ｋの第１のサービングセルで、ダウンリンクセミパーシステントスケジューリング（Ｓｅｍｉ−Ｐｅｒｉｓｔｅｎｔ  Ｓｃｈｅｄｕｌｉｎｇ，ＳＰＳ）リリースを示すＰＤＳＣＨ伝送若しくはダウンリンク制御チャネルを受信することは、ユーザ機器が、サブフレームｎ−ｋで、第１のサービングセルにより運ばれた、ダウンリンクＳＰＳリリースを示すＰＤＳＣＨ伝送若しくはダウンリンク制御チャネルを受信することであり得るか、又は、ユーザ機器が、サブフレームｎ−ｋで、第１のサービングセルで伝送された、ダウンリンクＳＰＳリリースを示すＰＤＳＣＨ若しくはダウンリンク制御チャネルを受信することであり得る。
【００５０】
本発明のすべての実施例のダウンリンク制御チャネルは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）又は拡張物理ダウンリンク制御チャネル（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ，ＥＰＤＣＣＨ）である。
【００５１】
ユーザ機器のサービングセルは、ネットワーク側デバイスによりユーザ機器に対して設定されたサービングセルのことを指し得るか、又はユーザ機器にサービスするサービングセルのことを指し得るか、又はユーザ機器によりアクセスされるサービングセルのことを指し得る。本発明のこの実施例におけるサービングセル（ｓｅｒｖｉｎｇ  ｃｅｌｌ）は、コンポーネントキャリア（ｃｏｍｐｏｎｅｎｔ  ｃａｒｒｉｅｒ）とも呼ばれ得る。本発明のこの実施例で、第１のサービングセルは、ユーザ機器のプライマリサービングセル（Ｐｒｉｍａｒｙ  ｓｅｒｖｉｎｇ  ｃｅｌｌ）であり得る。
【００５２】
ステップＳ５０２．ユーザ機器は、サブフレームｎで、第１のサービングセルのものでありサブフレームｎ−ｋに含まれるＰＤＳＣＨ又はダウンリンク制御チャネルに対応するＨＡＲＱ−ＡＣＫを送信する。ここで、ｎは整数であり、ｋは正の整数であり、ｋは集合Ｋに属し、設定されたＨＡＲＱ−ＡＣＫタイミングに応じて集合Ｋが判定され、設定されたＨＡＲＱ−ＡＣＫタイミングは、第１のＨＡＲＱ−ＡＣＫタイミング又は第２のＨＡＲＱ−ＡＣＫタイミングを含む。
【００５３】
具体的には、サブフレームｎ−ｋの第１のサービングセルで、ダウンリンクＳＰＳリリースを示すＰＤＳＣＨ又はダウンリンク制御チャネルを受信した後で、ユーザ機器は、ダウンリンクＳＰＳリリースを示す受信したＰＤＳＣＨ又は受信したダウンリンク制御チャネルに対応するＨＡＲＱ−ＡＣＫをフィードバックする必要がある。この実施例で、ユーザ機器は、サブフレームｎで、第１のサービングセルのものでありサブフレームｎ−ｋに含まれるＰＤＳＣＨ又はダウンリンク制御チャネルに対応するＨＡＲＱ−ＡＣＫを送信する。ここで、ｎは整数であり、ｋは正の整数であり、ｋは集合Ｋに属し、設定されたＨＡＲＱ−ＡＣＫタイミングに応じて集合Ｋが判定され、設定されたＨＡＲＱ−ＡＣＫタイミングは、第１のＨＡＲＱ−ＡＣＫタイミング又は第２のＨＡＲＱ−ＡＣＫタイミングを含む。設定されたＨＡＲＱ−ＡＣＫタイミングは、上位層（ｈｉｇｈｅｒ  ｌａｙｅｒ）により設定されたＨＡＲＱ−ＡＣＫタイミングのことを指す。本発明のこの実施例で、設定されたＨＡＲＱ−ＡＣＫタイミングが第１のＨＡＲＱ−ＡＣＫタイミング又は第２のＨＡＲＱ−ＡＣＫタイミングを含むとは、上位層が第１のサービングセルのＨＡＲＱ−ＡＣＫタイミングを第１のＨＡＲＱ−ＡＣＫタイミングとして設定するか、又は上位層が第１のサービングセルのＨＡＲＱ−ＡＣＫタイミングを第２のＨＡＲＱ−ＡＣＫタイミングとして設定することを指し得る。本発明のこの実施例で説明される、第１のサービングセルのＨＡＲＱ−ＡＣＫタイミングは、ユーザ機器の観点から説明されており、すなわち、異なるユーザ機器に対して、ＨＡＲＱ−ＡＣＫタイミングは異なる可能性があることに留意する必要がある。同じユーザ機器について、設定されたＨＡＲＱ−ＡＣＫタイミングは、ある期間内の第１のＨＡＲＱ−ＡＣＫタイミングであることができ、すなわち、第１のサービングセルのものであり、上位層によりユーザ機器に対して設定されたＨＡＲＱ−ＡＣＫタイミングは、第１のＨＡＲＱ−ＡＣＫタイミングであり、また、設定されたＨＡＲＱ−ＡＣＫタイミングは、別の期間内の第２のＨＡＲＱ−ＡＣＫタイミングであり、すなわち、第１のサービングセルのものであり、上位層によりユーザ機器に対して設定されたＨＡＲＱ−ＡＣＫタイミングは、第２のＨＡＲＱ−ＡＣＫタイミングである。第１のＨＡＲＱ−ＡＣＫタイミングと第２のＨＡＲＱ−ＡＣＫタイミングとの間の切り替えが必要であるとき、ＨＡＲＱ−ＡＣＫタイミング再構成が上位層シグナリングを使用して実行され得る。
【００５４】
サブフレームｎ−ｋの第１のサービングセルに対応するＨＡＲＱ−ＡＣＫは、ステップＳ５０１でサブフレームｎ−ｋの第１のサービングセルでユーザ機器により受信された、ダウンリンクＳＰＳリリースを示すＰＤＳＣＨ伝送又はダウンリンク制御チャネルに対応するＨＡＲＱ−ＡＣＫであり得る。ＳＰＳリリースを示すＰＤＳＣＨ伝送又はダウンリンク制御チャネルがサブフレームｎ−ｋのサブフレームにおける第１のサービングセルで受信されないとき、ダウンリンクＳＰＳリリースを示すＰＤＳＣＨ伝送又はダウンリンク制御チャネルが第１のサービングセルで受信されなかったサブフレームにおける第１のサービングセルに対応するＨＡＲＱ−ＡＣＫは、不連続伝送（Ｄｉｓｃｏｎｔｉｎｕｏｕｓ  Ｔｒａｎｓｍｉｓｓｉｏｎ，ＤＴＸ）又は否定応答であり得る。ステップＳ５０１の集合Ｋが複数の要素を含むとき、複数のサブフレームにおける第１のサービングセルのＨＡＲＱ−ＡＣＫが、サブフレームｎで送信される。
【００５５】
本発明のこの実施例で、上位層により設定されたＨＡＲＱ−ＡＣＫタイミングは、上位層シグナリングの指示に応じて直接取得されることができ、すなわち、上位層シグナリングは、第１のサービングセルのＨＡＲＱ−ＡＣＫタイミングが第１のＨＡＲＱ−ＡＣＫタイミングであるか第２のＨＡＲＱ−ＡＣＫタイミングであるかを直接示す。上位層シグナリングが、第１のサービングセルのＨＡＲＱ−ＡＣＫタイミングが第２のＨＡＲＱ−ＡＣＫタイミングであることを示しているとき、ユーザ機器は、第１のサービングセルの参照アップリンク−ダウンリンク構成に応じて集合Ｋを更に判定し得る。第１のサービングセルの参照アップリンク−ダウンリンク構成は、第１のサービングセルのアップリンク−ダウンリンク構成であり得る。第１のサービングセルのアップリンク−ダウンリンク構成は、第１のサービングセルのための無線フレームにおける第１のサブフレーム、第２のサブフレーム、ダウンリンクサブフレーム、及びアップリンクサブフレームの配置を定義し、たとえば、これら複数のタイプのサブフレームの数、位置等を定義する。短縮サブフレームに基づくフレーム構造では、第１のサブフレーム及び第２のサブフレームのみが含まれる可能性があることに留意する必要がある。このとき、Ｓ１を使用して第１のサブフレームを表し、Ｓ２を使用して第２のサブフレームを表した場合、第１のサービングセルのアップリンク−ダウンリンク構成は、表３の複数のタイプを含む可能性がある。
【００５６】
表３に示されているアップリンク−ダウンリンク構成の７個のタイプに加えて、第１のサービングセルのアップリンク−ダウンリンク構成は、別のアップリンク−ダウンリンク構成であることができ、たとえば、第１のサブフレーム又は第２のサブフレームのみが無線フレームに存在するアップリンク−ダウンリンク構成であることができる。代替で、第１のサービングセルの参照アップリンク−ダウンリンク構成は、第１のサービングセルのアップリンク−ダウンリンク構成と異なり得る。たとえば、第１のサービングセルのアップリンク−ダウンリンク構成は構成０であるが、第１のサービングセルの参照アップリンク−ダウンリンク構成はアップリンク−ダウンリンク構成２であり得る。
【００５７】
代替で、上位層により設定されたＨＡＲＱ−ＡＣＫタイミングは、上位層により設定された参照アップリンク−ダウンリンク構成に応じて取得され得る。すなわち、ユーザ機器は、上位層シグナリングを使用して設定された参照アップリンク−ダウンリンク構成に応じて、第１のサービングセルのＨＡＲＱ−ＡＣＫタイミングを判定する。たとえば、設定された参照アップリンク−ダウンリンク構成がアップリンク−ダウンリンク構成０〜６以外のアップリンク−ダウンリンク構成であるとき、たとえば、上位層により設定された参照アップリンク−ダウンリンク構成がアップリンク−ダウンリンク構成７であるとき、上位層により設定されたＨＡＲＱ−ＡＣＫタイミングは第１のＨＡＲＱ−ＡＣＫタイミングであり得る。上位層により設定された参照アップリンク−ダウンリンク構成がアップリンク−ダウンリンク構成０〜６のいずれかであるとき、上位層により設定されたＨＡＲＱ−ＡＣＫタイミングは第２のＨＡＲＱ−ＡＣＫタイミングである。設定されたＨＡＲＱ−ＡＣＫタイミングが第２のＨＡＲＱ−ＡＣＫタイミングであるとき、設定された参照アップリンク−ダウンリンク構成に応じて集合Ｋを更に判定する必要があり、この場合、集合Ｋは、少なくとも１つの要素を含む。設定されたＨＡＲＱ−ＡＣＫタイミングが第２のＨＡＲＱ−ＡＣＫタイミングであるとき、第２のサービングセルのＨＡＲＱ−ＡＣＫがフィードバックされるサブフレームは、第２のサブフレーム又はアップリンクサブフレームのみである。
【００５８】
【表３】
0006561130.tif 000004
【００５９】
上位層により設定されたＨＡＲＱ−ＡＣＫタイミングが第１のＨＡＲＱ−ＡＣＫタイミングであるとき、集合Ｋは、１つの要素のみを含む。たとえば、集合Ｋは、｛３｝又は｛４｝であり得る。上位層により設定されたＨＡＲＱ−ＡＣＫタイミングが第１のＨＡＲＱ−ＡＣＫタイミングであるとき、第１のサービングセルのＨＡＲＱ−ＡＣＫがフィードバックされるサブフレームは、第１のサブフレーム、第２のサブフレーム、又はアップリンクサブフレームを含む。
【００６０】
第１のサービングセルの参照アップリンク−ダウンリンク構成に応じて集合Ｋを判定することは、下記の２つの方式で実装され得る。本発明のこの実施例は、２つの方式のいずれかを使用し得る。
【００６１】
方式１：
【００６２】
参照アップリンク−ダウンリンク構成がアップリンク−ダウンリンク構成０であるとき、サブフレームｎは無線フレームのサブフレーム２、サブフレーム４、サブフレーム７、若しくはサブフレーム９に対応し、サブフレームｎが無線フレームのサブフレーム２若しくはサブフレーム７に対応するとき、集合Ｋは｛６｝であり、若しくは、サブフレームｎが無線フレームのサブフレーム４若しくはサブフレーム９に対応するとき、集合Ｋは｛４｝であるか、
参照アップリンク−ダウンリンク構成がアップリンク−ダウンリンク構成１であるとき、サブフレームｎは無線フレームのサブフレーム２、サブフレーム３、サブフレーム７、若しくはサブフレーム８に対応し、サブフレームｎが無線フレームのサブフレーム２若しくはサブフレーム７に対応するとき、集合Ｋは｛７，６｝であり、若しくは、サブフレームｎが無線フレームのサブフレーム３若しくはサブフレーム８に対応するとき、集合Ｋは｛４｝であるか、
参照アップリンク−ダウンリンク構成がアップリンク−ダウンリンク構成２であるとき、サブフレームｎは無線フレームのサブフレーム２若しくはサブフレーム７に対応し、集合Ｋは｛８，７，４，６｝であるか、
参照アップリンク−ダウンリンク構成がアップリンク−ダウンリンク構成３であるとき、サブフレームｎは無線フレームのサブフレーム２、サブフレーム３、若しくはサブフレーム４に対応し、サブフレームｎが無線フレームのサブフレーム２に対応するとき、集合Ｋは｛７，６，１１｝であり、サブフレームｎが無線フレームのサブフレーム３に対応するとき、集合Ｋは｛６，５｝であり、若しくは、サブフレームｎが無線フレームのサブフレーム４に対応するとき、集合Ｋは｛５，４｝であるか、
参照アップリンク−ダウンリンク構成がアップリンク−ダウンリンク構成４であるとき、サブフレームｎは無線フレームのサブフレーム２及びサブフレーム３に対応し、サブフレームｎが無線フレームのサブフレーム２に対応するとき、集合Ｋは｛１２，８，７，１１｝であり、若しくは、サブフレームｎが無線フレームのサブフレーム３に対応するとき、集合Ｋは｛６，５，４，７｝であるか、
参照アップリンク−ダウンリンク構成がアップリンク−ダウンリンク構成５であるとき、サブフレームｎは無線フレームのサブフレーム２に対応し、集合Ｋは｛１３，１２，９，８，７，５，４，１１，６｝であるか、又は
参照アップリンク−ダウンリンク構成がアップリンク−ダウンリンク構成６であるとき、サブフレームｎは無線フレームのサブフレーム２、サブフレーム３、サブフレーム４、サブフレーム７、若しくはサブフレーム８に対応し、サブフレームｎが無線フレームのサブフレーム２、サブフレーム３、サブフレーム７、若しくはサブフレーム８に対応するとき、集合Ｋは｛７｝であり、若しくは、サブフレームｎが無線フレームのサブフレーム４に対応するとき、集合Ｋは｛５｝である。
【００６３】
方式２：ユーザ機器は、第１のサービングセルの参照アップリンク−ダウンリンク構成及び関連集合表に応じて集合Ｋを判定する。関連集合表が表４に示されている。表４は、第１のサービングセルの各参照アップリンク−ダウンリンク構成において、ＨＡＲＱ−ＡＣＫがフィードバックされる各サブフレームｎに対応する、関連集合Ｋを提供する。
【００６４】
本発明のこの実施例で、サブフレーム番号は、複数の無線フレームにおけるサブフレームの番号のことを指し、次のように取得され得ることに留意する必要がある。すなわち、複数の無線フレームにおけるサブフレームは、０から単調に増加する方式で順に番号付けられ、すなわち、現在の無線フレームの最後のサブフレームの番号がｎ’である場合、次の無線フレームの最初のサブフレームの番号はｎ’＋１である。複数の無線サブフレームにおいて、各サブフレームは、そのサブフレームが存在する無線フレームにおけるサブフレームシーケンス番号を更に有し、すなわち、サブフレームシーケンス番号は、無線フレームにおけるサブフレームのサブフレームシーケンス番号である。たとえば、無線フレームにおけるサブフレーム２の場合、２は、無線フレームにおけるサブフレームのサブフレームシーケンス番号又はサブフレーム番号である。
【００６５】
【表４】
0006561130.tif 000005
【００６６】
本発明のこの実施例で、集合Ｋが複数の要素を含むとき、サブフレームｎ−ｋは、集合Ｋに対応するすべてのサブフレームのことを指し得る。たとえば、集合Ｋが｛ｋ０，ｋ１，・・・ｋＭ−１｝である場合、サブフレームｎ−ｋはＭ個のサブフレーム、すなわちサブフレームｎ−ｋ０、サブフレームｎ−ｋ１、・・・サブフレームｎ−ｋＭ−１のことを指し得る。この場合、ステップＳ５０１でユーザ機器がサブフレームｎ−ｋの第１のサービングセルで、ダウンリンクＳＰＳリリースを示すＰＤＳＣＨ伝送又はダウンリンク制御チャネルを受信することは、ユーザ機器がサブフレームｎ−ｋ０、サブフレームｎ−ｋ１、・・・サブフレームｎ−ｋＭ−２、又はサブフレームｎ−ｋＭ−１の第１のサービングセルで、ダウンリンクＳＰＳリリースを示すＰＤＳＣＨ伝送又はダウンリンク制御チャネルを受信することを同様に指すことができる。
【００６７】
ユーザ機器は、サブフレームｎ−ｋの第１のサービングセルで、ダウンリンクＳＰＳリリースを示すＰＤＳＣＨ伝送又はダウンリンク制御チャネルを受信する。集合Ｋに応じて、サブフレームｎ−ｋは、１つのサブフレーム又は複数のサブフレームを含み得る。複数のサブフレームが含まれるとき、この実施例で、ユーザ機器は、まず複数のサブフレームにおける第１のサービングセルで、ダウンリンクＳＰＳリリースを示すＰＤＳＣＨ伝送又はダウンリンク制御チャネルを受信し、次に、ステップＳ５０２を実行して、サブフレームｎで、第１のサービングセルのものでありこれらのサブフレームに含まれるＰＤＳＣＨ又はダウンリンク制御チャネルに対応するＨＡＲＱ−ＡＣＫ応答を送信することができる。集合Ｋに応じて、ユーザ機器は、ＨＡＲＱ−ＡＣＫを伝送できる各サブフレームで、サブフレームをフィードバックする必要があるＨＡＲＱ−ＡＣＫを判定し得るか、又は、サブフレームで受信された、ダウンリンクＳＰＳリリースを示すＰＤＳＣＨ伝送若しくはダウンリンク制御チャネルのＨＡＲＱ−ＡＣＫ応答をフィードバックすべきであるサブフレームを学習し得る。
【００６８】
たとえば、第１のサービングセルの参照アップリンク−ダウンリンク構成が構成２である場合、ステップＳ５０２では、サブフレームｎ−８、サブフレームｎ−７、サブフレームｎ−６、及びサブフレームｎ−４のＨＡＲＱ−ＡＣＫが、サブフレームｎで送信される。具体的には、サブフレームｎが無線フレームのサブフレーム２又はサブフレーム７に対応する場合、サブフレームｎが無線フレームのサブフレーム２に対応するときは、無線フレームのサブフレーム４、ダウンリンクサブフレーム５、サブフレーム６、又はサブフレーム８のＨＡＲＱ−ＡＣＫがサブフレームｎでフィードバックされ、サブフレームｎが無線フレームのサブフレーム７に対応するときは、無線フレームのサブフレーム０、サブフレーム１、サブフレーム３、又はサブフレーム９のＨＡＲＱ−ＡＣＫがサブフレームｎでフィードバックされる。本明細書で説明される無線フレームは、言及されたサブフレームが同じ無線フレームに含まれることに限定するために使用されず、無線フレームにおける言及されたサブフレームのサブフレームシーケンス番号を限定するために使用される。
【００６９】
ステップＳ５０１で上位層により設定されたＨＡＲＱ−ＡＣＫタイミングが第１のＨＡＲＱ−ＡＣＫタイミングであるとき、このステップのサブフレームｎは、第１のサブフレーム、第２のサブフレーム、又はアップリンクサブフレームを含む。この場合、１つのサブフレームのみのＨＡＲＱ−ＡＣＫを、サブフレームｎでフィードバックする必要がある。この場合、ＨＡＲＱ−ＡＣＫが物理アップリンク制御チャネル（Ｐｈｙｓｉｃａｌ  Ｕｐｌｉｎｋ  Ｃｏｎｔｒｏｌ  Ｃｈａｎｎｅｌ，ＰＵＣＣＨ）でフィードバックされるとき、ＰＵＣＣＨチャネルの時間ドメインは、１つのシンボルのみに対応する。シンボルを備えるＰＵＣＣＨ構造が図６に示されていることができる。図６は、本発明の実施例によるＰＵＣＣＨ構造の概略図である。図６のＰＵＣＣＨは、時間ドメインの１つのシンボルと、周波数ドメインの２つの物理リソースブロック（Ｐｈｙｓｉｃａｌ  Ｒｅｓｏｕｒｃｅ  Ｂｌｏｃｋ，ＰＲＢ）とを含む。周波数ドメインの２つのＰＲＢの場合、アップリンク制御情報を送信するためのリソース要素（Ｒｅｓｏｕｒｃｅ  Ｅｌｅｍｅｎｔ，ＲＥ）と、参照信号（Ｒｅｆｅｒｅｎｃｅ  Ｓｉｇｎａｌ，ＲＳ）を送信するためのＲＥとが、交互に配置される（これは、くし型置換（comb  replacement）とも呼ばれ得る）。図６で、各ＲＥ６１はＲＳを送信するために使用され、各ＲＥ６２はデータを送信するために使用される。ＰＵＣＣＨ構造は、１ビットのＨＡＲＱ−ＡＣＫ又は２ビットのＨＡＲＱ−ＡＣＫを送信するために使用され得る。１ビットのＨＡＲＱ−ＡＣＫ又は２ビットのＨＡＲＱ−ＡＣＫは、変調シンボルに変調される（たとえば、１ビットのＨＡＲＱ−ＡＣＫは、二位相偏位変調（Ｂｉｎａｒｙ  Ｐｈａｓｅ  Ｓｈｉｆｔ  Ｋｅｙｉｎｇ，ＢＰＳＫ）変調シンボルに変調され、２ビットのＨＡＲＱ−ＡＣＫは、四位相偏位変調（Ｑｕａｄｒａｔｕｒｅ  Ｐｈａｓｅ  Ｓｈｉｆｔ  Ｋｅｙｉｎｇ，ＱＰＳＫ）変調シンボルに変調される）。変調シンボルは、長さ１２のＺａｄｏｆｆ−Ｃｈｕ（ＺＣ）シーケンスを乗算され、伝送のために１２個のＲＥにマップされる。１２個のＲＥは、アップリンク制御情報を送信するために使用される。図６に示されているＰＵＣＣＨ構造の適用は、本実施例のステップＳ５０１及びステップＳ５０２に依存しない可能性があることに留意する必要がある。つまり、ＰＵＣＣＨ構造は、短縮サブフレーム構造が使用されるシステムのＨＡＲＱ−ＡＣＫフィードバックに適用され得る。ただし、ＨＡＲＱ−ＡＣＫタイミングは、本発明のこの実施例のステップＳ５０１及びステップＳ５０２で定義されたＨＡＲＱ−ＡＣＫタイミングと一致しない可能性がある。
【００７０】
第１のＨＡＲＱ−ＡＣＫタイミングがＨＡＲＱ−ＡＣＫをフィードバックするために使用されるとき、ＨＡＲＱ−ＡＣＫを時間内にフィードバックすることができ、それにより遅延を低減し、短縮サブフレーム構造が使用されるシステムは低遅延サービスを提供することができる。しかしながら、第１のＨＡＲＱ−ＡＣＫタイミングが使用されるとき、ＨＡＲＱ−ＡＣＫは、第１のサブフレームでフィードバックされる必要がある。図３より、第１のサブフレームの時間ドメインが、１つのアップリンクシンボル（それは、ＳＣ−ＦＤＭＡシンボルであり得る）のみを含むことがわかり得る。したがって、図６に示されているＰＵＣＣＨ構造のみを使用してＨＡＲＱ−ＡＣＫをフィードバックすることができ、すなわち、ＨＡＲＱ−ＡＣＫを１つのシンボルのみでフィードバックすることができる。ユーザ機器がセル端にある場合、この構造のＰＵＣＣＨ性能は、性能目標を満たさない可能性があり、したがってシステムのＰＵＣＣＨカバレッジが保証されない可能性がある。
【００７１】
ステップＳ５０１で上位層により設定されたＨＡＲＱ−ＡＣＫタイミングが第２のＨＡＲＱ−ＡＣＫタイミングであるとき、ＨＡＲＱ−ＡＣＫは、第２のフレーム又はアップリンクサブフレームのみでフィードバックされる。第２のサブフレームの場合、最大で９個のシンボルが時間ドメインに含まれ得る。したがって、図７に示されているＰＵＣＣＨチャネル構造若しくは図８に示されているＰＵＣＣＨチャネル構造がＨＡＲＱ−ＡＣＫをフィードバックするために使用され得るか、又は、ＨＡＲＱ−ＡＣＫは図９に示されているようにＰＵＳＣＨでフィードバックされ得る。この場合、ＨＡＲＱ−ＡＣＫは、複数の時間ドメインシンボルでフィードバックされることができる。これにより、ＨＡＲＱ−ＡＣＫフィードバック性能を向上させ、したがってＨＡＲＱ−ＡＣＫカバレッジを保証することができる。図７は、本発明の実施例による別のＰＵＣＣＨ構造の概略図である。図８は、本発明の実施例による更に別のＰＵＣＣＨ構造の概略図である。図９は、本発明の実施例によるＰＵＳＣＨでのＵＣＩマッピングの概略図である。
【００７２】
図７に示されているＰＵＣＣＨチャネル構造で、ＨＡＲＱ−ＡＣＫは、通信路符号化を経た後で、８つのＱＰＳＫ変調シンボルに変調される。各ＱＰＳＫ変調シンボルは、１つの時間ドメインシンボルにマップされ、各時間ドメインシンボルはＺＣシーケンスを乗算され、逆高速フーリエ変換（Ｉｎｖｅｒｓｅ  Ｆａｓｔ  Ｆｏｕｒｉｅｒ  Ｔｒａｎｓｆｏｒｍ，ＩＦＦＴ）処理を経た後で１つのシンボルにマップされる。図８に示されているＰＵＣＣＨチャネル構造では、通信路符号化がＨＡＲＱ−ＡＣＫ情報に実行された後で、４８個の符号化ビット（ｂ０、ｂ１、・・・ｂ４７）が得られる。４８個の符号化ビット（ｂ０、ｂ１、・・・ｂ４７）は、２４個のＱＰＳＫ変調シンボル（ｑ０、ｑ１、・・・ｑ２３）に変調される。最初の１２個のＱＰＳＫ変調シンボル（ｑ０、ｑ１、・・・ｑ１１）の離散フーリエ変換（Ｄｉｓｃｒｅｔｅ  Ｆｏｕｒｉｅｒ  Ｔｒａｎｓｆｏｒｍ，ＤＦＴ）後に得られる（Ｑ０、Ｑ１、・・・Ｑ１１）は、サブフレームの３番目の時間ドメインシンボルにマップされ、さらに時間ドメインスプレッディングを利用して次の３つの時間ドメインシンボルにマップされる。２４個の変調シンボルの最後の１２個のＱＰＳＫ変調シンボル（ｑ１２、ｑ１、・・・ｑ２３）のＤＦＴ変換後に得られる（Ｑ１２、Ｑ１、・・・Ｑ２３）は、サブフレームの７番目の時間ドメインシンボルにマップされ、さらに時間ドメインスプレッディングを利用して次の３つの時間ドメインシンボルにマップされる。サウンディング参照信号（Ｓｏｕｎｄｉｎｇ  Ｒｅｆｅｒｅｎｃｅ  Ｓｉｇｎａｌ，ＳＲＳ）をサブフレームの最後の時間ドメインシンボルで送信する必要がある場合、図７に示されているＰＵＣＣＨチャネル構造では、最後の時間ドメインシンボルがパンクチャされ、すなわち、１２個の符号化ビットのみが通信路符号化の後に送信され得る。図８に示されているＰＵＣＣＨチャネル構造では、最後の時間ドメインシンボルが同様にパンクチャされ、最後の１２個の変調シンボルが長さ３の時間ドメインスプレッディング符号を使用して８番目から１０番目の時間ドメインシンボルにマップされる。図８で、Ｗｉは時間ドメインスプレッディング符号である。図７及び図８に示されているＰＵＣＣＨ構造の適用は、本実施例のステップＳ５０１及びステップＳ５０２に依存しない可能性があることに留意する必要がある。２つのＰＵＣＣＨ構造は、短縮サブフレーム構造が使用されるシステムでＨＡＲＱ−ＡＣＫフィードバックに適用され得る。ただし、ＨＡＲＱ−ＡＣＫタイミングは、本発明のこの実施例のステップＳ５０１及びステップＳ５０２で定義されたＨＡＲＱ−ＡＣＫタイミングに一致しない可能性がある。また、２つのＰＵＣＣＨ構造は、別のシナリオではアップリンク制御情報フィードバックに適用され得る。加えて、アップリンク制御情報（Ｕｐｌｉｎｋ  Ｃｏｎｔｒｏｌ  Ｉｎｆｏｒｍａｔｉｏｎ，ＵＣＩ）が図９のＰＵＳＣＨでフィードバックされる構造の適用は、この実施例のステップＳ５０１及びステップＳ５０２に依存しない可能性があり、構造は別のシナリオではＰＵＳＣＨでのＵＣＩ伝送に適用され得る。図９で、チャネル状態情報（Ｃｈａｎｎｅｌ  Ｓｔａｔｅ  Ｉｎｆｏｒ��ａｔｉｏｎ，ＣＳＩ）はＲＥ９１で伝送され、ＲＳはＲＥ９２で伝送され、データはＲＥ９３で伝送され、ＲＥ９４はｎｕｌｌであり、ランク（ＲＩ）はＲＥ９５で伝送される。
【００７３】
この実施例で提供されるハイブリッド自動再送要求−肯定応答伝送方法によると、ＨＡＲＱ−ＡＣＫタイミングは上位層を使用して設定され、第１のＨＡＲＱ−ＡＣＫタイミング及び第２のＨＡＲＱ−ＡＣＫタイミングが提供される。セル中心のユーザの場合、第１のＨＡＲＱ−ＡＣＫタイミングが設定されることができ、それにより遅延が低減され、システムは低遅延サービスを提供することができる。セル端のユーザの場合、第２のＨＡＲＱ−ＡＣＫタイミングが設定されることができ、それによりＨＡＲＱ−ＡＣＫ性能が保証され、すなわち、システムのカバレッジが保証される。したがって、短縮サブフレーム構造が使用されるとき、システムは低サービス遅延要件を有するサービスを提供することができ、新しいサブフレーム構造の十分な大きさのカバレッジを保証することができる。
【００７４】
短縮サブフレームに基づくフレーム構造に適用されることに加えて、本発明のすべての実施例は、別のシナリオにも適用され得ることに留意する必要がある。たとえば、フレーム構造において、各サブフレームの長さは１ｍｓであるが、第１のサブフレーム及び第２のサブフレームに類似するサブフレーム構造がフレーム構造に導入され、したがってフレーム構造は、本発明の実施例で説明される方法にも適用され得る。
【００７５】
図１０は、本発明の実施例によるハイブリッド自動再送要求−肯定応答伝送方法の実施例２の概略流れ図である。図１０に示されているように、この実施例の方法は、下記のステップを含む。
【００７６】
ステップＳ９０１．基地局は、ＨＡＲＱ−ＡＣＫタイミングを、ユーザ機器に対して設定する。ここで、基地局によりユーザ機器に対して設定されたＨＡＲＱ−ＡＣＫタイミングは第１のＨＡＲＱ−ＡＣＫタイミング又は第２のＨＡＲＱ−ＡＣＫタイミングを含む。
【００７７】
具体的には、このステップで、基地局がＨＡＲＱ−ＡＣＫタイミングをユーザ機器に対して設定することは、基地局がＨＡＲＱ−ＡＣＫタイミングをユーザ機器に対して設定することを同様に指すことができ、下記の２つの方式で実装され得る。
【００７８】
方式１：基地局は、上位層シグナリングをユーザ機器に送信する。上位層シグナリングは、第１のサービングセルのＨＡＲＱ−ＡＣＫタイミングが第１のＨＡＲＱ−ＡＣＫタイミングであることを示し、又は、上位層シグナリングは、第１のサービングセルのＨＡＲＱ−ＡＣＫタイミングが第２のＨＡＲＱ−ＡＣＫタイミングであることを示す。
【００７９】
上位層シグナリングが、第１のサービングセルのＨＡＲＱ−ＡＣＫタイミングが第２のＨＡＲＱ−ＡＣＫタイミングであることを示しているとき、ユーザ機器は、第１のサービングセルの参照アップリンク−ダウンリンク構成に応じて集合Ｋを更に判定し得る。第１のサービングセルの参照アップリンク−ダウンリンク構成は、第１のサービングセルのアップリンク−ダウンリンク構成であり得る。第１のサービングセルのアップリンク−ダウンリンク構成は、第１のサービングセルのための無線フレームにおける第１のサブフレーム、第２のサブフレーム、ダウンリンクサブフレーム、及びアップリンクサブフレームの配置を定義し、たとえば、複数のタイプのサブフレームの数、位置等を定義する。
【００８０】
方式２：基地局は、第１のサービングセルの参照アップリンク−ダウンリンク構成をユーザ機器に対して設定し、第１のサービングセルのＨＡＲＱ−ＡＣＫタイミングは、参照アップリンク−ダウンリンク構成に応じて判定される。
【００８１】
方式２で、基地局は、上位層シグナリングを使用して第１のサービングセルの参照アップリンク−ダウンリンク構成を示し、ユーザ機器は、上位層により設定された参照アップリンク−ダウンリンク構成に応じて、第１のサービングセルのＨＡＲＱ−ＡＣＫタイミングを判定する。たとえば、設定された参照アップリンク−ダウンリンク構成がアップリンク−ダウンリンク構成０〜６以外のアップリンク−ダウンリンク構成であるとき、たとえば、上位層により設定された参照アップリンク−ダウンリンク構成がアップリンク−ダウンリンク構成７であるとき、上位層により設定されたＨＡＲＱ−ＡＣＫタイミングは第１のＨＡＲＱ−ＡＣＫタイミングであり得る。上位層により設定された参照アップリンク−ダウンリンク構成がアップリンク−ダウンリンク構成０〜６のいずれかであるとき、上位層により設定されたＨＡＲＱ−ＡＣＫタイミングは第２のＨＡＲＱ−ＡＣＫタイミングである。設定されたＨＡＲＱ−ＡＣＫタイミングが第２のＨＡＲＱ−ＡＣＫタイミングであるとき、設定された参照アップリンク−ダウンリンク構成に応じて集合Ｋを更に判定する必要がある。この場合、集合Ｋは、少なくとも１つの要素を含む。設定されたＨＡＲＱ−ＡＣＫタイミングが第２のＨＡＲＱ−ＡＣＫタイミングであるとき、第２のサービングセルのＨＡＲＱ−ＡＣＫが受信されるサブフレームは、第２のサブフレーム又はアップリンクサブフレームのみである。
【００８２】
方式２で、基地局は、第１のサービングセルのものでありユーザ機器によりフィードバックされるＨＡＲＱ−ＡＣＫを受信するために、第１のサービングセルのものでありユーザ機器に通知される参照アップリンク−ダウンリンク構成に応じて、ユーザ機器に対する第１のサービングセルのＨＡＲＱ−ＡＣＫタイミングを更に判定し得る。
【００８３】
ＨＡＲＱ−ＡＣＫタイミングをユーザ機器に対して設定するとき、基地局は、ユーザ機器の関連するパラメータに応じて、異なるユーザ機器に対して異なるＨＡＲＱ−ＡＣＫタイミングを設定する可能性があることに留意する必要がある。たとえば、第１のＨＡＲＱ−ＡＣＫタイミングは、セル中心のユーザ又は比較的良好なチャネル品質を有するユーザ機器に対して設定され、第２のＨＡＲＱ−ＡＣＫタイミングは、セル端のユーザ又は比較的粗悪なチャネル品質を有するユーザ機器に対して設定される。この前に、基地局は、ユーザ機器の関連するパラメータを測定するか、又はユーザ機器により能動的に報告された関連するパラメータを受信し得る。
【００８４】
ステップＳ９０２．基地局は、ユーザ機器に対して、ユーザ機器のサービングセルである、サブフレームｎ−ｋの第１のサービングセルで、ダウンリンクＳＰＳリリースを示すＰＤＳＣＨ又はダウンリンク制御チャネルを送信する。
【００８５】
具体的には、第１のサービングセルは、ユーザ機器のサービングセルである。第１のサービングセルの複信モードはＴＤＤであり得るが、第１のサービングセルの複信モードはＴＤＤに限定されない。基地局が、ユーザ機器に対して、サブフレームｎ−ｋの第１のサービングセルで、ダウンリンクＳＰＳリリースを示すＰＤＳＣＨ伝送又はダウンリンク制御チャネルを送信することは、基地局が、ユーザ機器に対して、サブフレームｎ−ｋで、ダウンリンクＳＰＳリリースを示すＰＤＳＣＨ伝送又はダウンリンク制御チャネルを送信することであり得る。ダウンリンクＳＰＳリリースを示すＰＤＳＣＨ伝送又はダウンリンク制御チャネルは、第１のサービングセルで運ばれる。
【００８６】
ユーザ機器のサービングセルは、ネットワーク側デバイスによりユーザ機器に対して設定されたサービングセルのことを指し得るか、又はユーザ機器にサービスするサービングセルのことを指し得るか、又はユーザ機器によりアクセスされるサービングセルのことを指し得る。本発明のこの実施例におけるサービングセル（ｓｅｒｖｉｎｇ  ｃｅｌｌ）は、コンポーネントキャリア（ｃｏｍｐｏｎｅｎｔ  ｃａｒｒｉｅｒ）とも呼ばれ得る。本発明のこの実施例で、第１のサービングセルは、ユーザ機器のプライマリサービングセル（Ｐｒｉｍａｒｙ  ｓｅｒｖｉｎｇ  ｃｅｌｌ）であり得る。
【００８７】
ステップＳ９０３．基地局は、サブフレームｎで、ユーザ機器により送信され、第１のサービングセルのものでありサブフレームｎ−ｋに含まれるＰＤＳＣＨ又はダウンリンク制御チャネルに対応するＨＡＲＱ−ＡＣＫを受信する。ここで、ｎは整数であり、ｋは正の整数であり、ｋは集合Ｋに属し、基地局によりユーザ機器に対して設定されたＨＡＲＱ−ＡＣＫタイミングに応じて集合Ｋが判定される。
【００８８】
具体的には、ユーザ機器に対して、サブフレームｎ−ｋの第１のサービングセルで、ダウンリンクＳＰＳリリースを示すＰＤＳＣＨ又はダウンリンク制御チャネルを送信した後で、基地局は、ユーザ機器によりフィードバックされサブフレームｎ−ｋに含まれるＨＡＲＱ−ＡＣＫを受信する必要がある。この実施例で、ユーザ機器は、サブフレームｎで、ユーザ機器によりフィードバックされ、第１のサービングセルのものでありサブフレームｎ−ｋに含まれるＰＤＳＣＨ又はダウンリンク制御チャネルに対応するＨＡＲＱ−ＡＣＫを受信する。ここで、ｋは正の整数であり、ｋは集合Ｋに属し、第１のサービングセルのＨＡＲＱ−ＡＣＫタイミングに応じて集合Ｋが判定され得る。
【００８９】
第１のサービングセルのものでありサブフレームｎ−ｋに含まれるＰＤＳＣＨ又はダウンリンク制御チャネルに対応するＨＡＲＱ−ＡＣＫは、ダウンリンクＳＰＳリリースを示すＰＤＳＣＨ伝送又はダウンリンク制御チャネルに対応するＨＡＲＱ−ＡＣＫであり得る。ダウンリンクＳＰＳリリースを示すＰＤＳＣＨ伝送又はダウンリンク制御チャネルは、ステップＳ９０２で、基地局により、ユーザ機器に対して、サブフレームｎ−ｋの第１のサービングセルで送信される。ダウンリンクＳＰＳリリースを示すＰＤＳＣＨ伝送又はダウンリンク制御チャネルがユーザ機器に対してサブフレームｎ−ｋのダウンリンクサブフレームにおける第１のサービングセルで送信されないとき、基地局は、ダウンリンクＳＰＳリリースを示すＰＤＳＣＨ伝送又はダウンリンク制御チャネルがユーザ機器に対して第１のサービングセルで送信されなかったダウンリンクサブフレームにおける第１のサービングセルに対応するＨＡＲＱ−ＡＣＫが、ＤＴＸ又は否定応答であり得ると推定し得る。ステップＳ９０３の集合Ｋが複数の要素を含むとき、複数のサブフレームにおける第１のサービングセルのＨＡＲＱ−ＡＣＫが、サブフレームｎで受信される。
【００９０】
第１のサービングセルの参照アップリンク−ダウンリンク構成に応じて集合Ｋを判定することは、下記の２つの方式で実装され得る。本発明のこの実施例は、２つの方式のいずれかを使用し得る。
【００９１】
方式１：
【００９２】
参照アップリンク−ダウンリンク構成がアップリンク−ダウンリンク構成０であるとき、サブフレームｎは無線フレームのサブフレーム２、サブフレーム４、サブフレーム７、若しくはサブフレーム９に対応し、サブフレームｎが無線フレームのサブフレーム２若しくはサブフレーム７に対応するとき、集合Ｋは｛６｝であり、若しくは、サブフレームｎが無線フレームのサブフレーム４若しくはサブフレーム９に対応するとき、集合Ｋは｛４｝であるか、
参照アップリンク−ダウンリンク構成がアップリンク−ダウンリンク構成１であるとき、サブフレームｎは無線フレームのサブフレーム２、サブフレーム３、サブフレーム７、若しくはサブフレーム８に対応し、サブフレームｎが無線フレームのサブフレーム２若しくはサブフレーム７に対応するとき、集合Ｋは｛７，６｝であり、若しくは、サブフレームｎが無線フレームのサブフレーム３若しくはサブフレーム８に対応するとき、集合Ｋは｛４｝であるか、
参照アップリンク−ダウンリンク構成がアップリンク−ダウンリンク構成２であるとき、サブフレームｎは無線フレームのサブフレーム２若しくはサブフレーム７に対応し、集合Ｋは｛８，７，４，６｝であるか、
参照アップリンク−ダウンリンク構成がアップリンク−ダウンリンク構成３であるとき、サブフレームｎは無線フレームのサブフレーム２、サブフレーム３、若しくはサブフレーム４に対応し、サブフレームｎが無線フレームのサブフレーム２に対応するとき、集合Ｋは｛７，６，１１｝であり、サブフレームｎが無線フレームのサブフレーム３に対応するとき、集合Ｋは｛６，５｝であり、若しくは、サブフレームｎが無線フレームのサブフレーム４に対応するとき、集合Ｋは｛５，４｝であるか、
参照アップリンク−ダウンリンク構成がアップリンク−ダウンリンク構成４であるとき、サブフレームｎは無線フレームのサブフレーム２及びサブフレーム３に対応し、サブフレームｎが無線フレームのサブフレーム２に対応するとき、集合Ｋは｛１２，８，７，１１｝であり、若しくは、サブフレームｎが無線フレームのサブフレーム３に対応するとき、集合Ｋは｛６，５，４，７｝であるか、
参照アップリンク−ダウンリンク構成がアップリンク−ダウンリンク構成５であるとき、サブフレームｎは無線フレームのサブフレーム２に対応し、集合Ｋは｛１３，１２，９，８，７，５，４，１１，６｝であるか、又は、
参照アップリンク−ダウンリンク構成がアップリンク−ダウンリンク構成６であるとき、サブフレームｎは無線フレームのサブフレーム２、サブフレーム３、サブフレーム４、サブフレーム７、若しくはサブフレーム８に対応し、サブフレームｎが無線フレームのサブフレーム２、サブフレーム３、サブフレーム７、若しくはサブフレーム８に対応するとき、集合Ｋは｛７｝であり、若しくは、サブフレームｎが無線フレームのサブフレーム４に対応するとき、集合Ｋは｛５｝である。
【００９３】
方式２：基地局は、第１のサービングセルの参照アップリンク−ダウンリンク構成及び関連集合表に応じて集合Ｋを判定する。関連集合表が表４に示されている。表４は、第１のサービングセルの各参照アップリンク−ダウンリンク構成において、ＨＡＲＱ−ＡＣＫがフィードバックされる各サブフレームｎに対応する、関連集合Ｋを提供する。
【００９４】
本発明のこの実施例で、集合Ｋが複数の要素を含むとき、サブフレームｎ−ｋは、集合Ｋに対応するすべてのサブフレームのことを指し得る。たとえば、集合Ｋが｛ｋ０，ｋ１，・・・ｋＭ−１｝である場合、サブフレームｎ−ｋはＭ個のサブフレーム、すなわちサブフレームｎ−ｋ０、サブフレームｎ−ｋ１、・・・サブフレームｎ−ｋＭ−１のことを指し得る。この場合、ステップＳ９０１において、基地局がユーザ機器に対してサブフレームｎ−ｋの第１のサービングセルで、ダウンリンクＳＰＳリリースを示すＰＤＳＣＨ伝送又はダウンリンク制御チャネルを送信することは、基地局がユーザ機器に対してサブフレームｎ−ｋ０、サブフレームｎ−ｋ１、・・・サブフレームｎ−ｋＭ−２、及びサブフレームｎ−ｋＭ−１の第１のサービングセルで、ダウンリンクＳＰＳリリースを示すＰＤＳＣＨ伝送又はダウンリンク制御チャネルを送信することを同様に指すことができる。サブフレームｎ−ｋ１は同様の理解を有し、ｋ１が集合Ｋ１に属する。詳細はここでは説明されない。
【００９５】
基地局は、ユーザ機器に対して、サブフレームｎ−ｋの第１のサービングセルで、ダウンリンクＳＰＳリリースを示すＰＤＳＣＨ伝送又はダウンリンク制御チャネルを送信する。集合Ｋに応じて、サブフレームｎ−ｋは、１つのサブフレーム又は複数のサブフレームを含み得る。複数のサブフレームが含まれるとき、この実施例で、基地局は、まずユーザ機器に対して、複数のサブフレームにおける第１のサービングセルで、ダウンリンクＳＰＳリリースを示すＰＤＳＣＨ伝送又はダウンリンク制御チャネルを送信し、次に、ステップＳ９０３を実行して、サブフレームｎで、これらのサブフレームにおける第１のサービングセルに対応するＨＡＲＱ−ＡＣＫ応答を受信し得る。集合Ｋに応じて、基地局は、ＨＡＲＱ−ＡＣＫを伝送できる各サブフレームで、サブフレームをフィードバックする必要があるＨＡＲＱ−ＡＣＫを判定し得るか、又は、サブフレームでユーザ機器に伝送された、ダウンリンクＳＰＳリリースを示すＰＤＳＣＨ伝送又はダウンリンク制御チャネルのＨＡＲＱ−ＡＣＫを受信すべきであるサブフレームを学習し得る。たとえば、第１のサービングセルの参照アップリンク−ダウンリンク構成が構成２である場合、ステップＳ９０２で、サブフレームｎ−８、サブフレームｎ−７、サブフレームｎ−６、又はサブフレームｎ−４のＨＡＲＱ−ＡＣＫ応答がサブフレームｎで受信される。具体的には、サブフレームｎが無線フレームのサブフレーム２又はサブフレーム７に対応する場合、サブフレームｎが無線フレームのサブフレーム２に対応するときは、無線フレームのサブフレーム４、ダウンリンクサブフレーム５、サブフレーム６、又はサブフレーム８のＨＡＲＱ−ＡＣＫがサブフレームｎで受信され、サブフレームｎが無線フレームのサブフレーム７に対応するときは、無線フレームのサブフレーム０、サブフレーム１、サブフレーム３、又はサブフレーム９のＨＡＲＱ−ＡＣＫがサブフレームｎで受信される。本明細書で説明される無線フレームは、言及されたサブフレームが同じ無線フレームに含まれることに限定するために使用されず、無線フレームにおける言及されたサブフレームのサブフレームシーケンス番号を限定するために使用される。
【００９６】
ステップＳ９０３で、ステップＳ９０１のＨＡＲＱ−ＡＣＫタイミングが第１のＨＡＲＱ−ＡＣＫタイミングであるとき、このステップのサブフレームｎは、第１のサブフレーム、第２のサブフレーム、又はアップリンクサブフレームを含む。この場合、１つのサブフレームのみのＨＡＲＱ−ＡＣＫをサブフレームｎで受信する必要がある。この場合、基地局は、図６に示されているＰＵＣＣＨチャネル構造に応じて、ＨＡＲＱ−ＡＣＫを受信し得る。ＰＵＣＣＨ構造は上述したとおりであり、詳細はここでは説明されない。
【００９７】
第１のＨＡＲＱ−ＡＣＫタイミングが使用されるとき、ユーザ機器は、ＨＡＲＱ−ＡＣＫを時間内にフィードバックすることができ、それにより短縮サブフレーム構造が使用されるシステムは低遅延サービスを提供することができる。
【００９８】
ステップＳ９０３で、上位層により設定されたＨＡＲＱ−ＡＣＫタイミングが第２のＨＡＲＱ−ＡＣＫタイミングであるとき、ＨＡＲＱ−ＡＣＫは、第２のフレーム又はアップリンクサブフレームのみでフィードバックされる。この場合、基地局は、図７に示されているＰＵＣＣＨチャネル構造に基づき、ユーザ機器により送信されたＨＡＲＱ−ＡＣＫを受信し得る。代替で、基地局は、図８に示されているＰＵＣＣＨチャネル構造に基づき、ユーザ機器により送信されたＨＡＲＱ−ＡＣＫを受信し得る。ユーザ機器及び基地局は、同じＰＵＣＣＨチャネル構造に基づいている必要があることに留意する必要がある。ユーザ機器側がＰＵＳＣＨでＨＡＲＱ−ＡＣＫをフィードバックする場合、基地局は、図９に示されている構造に応じてＨＡＲＱ−ＡＣＫを受信し得る。図７に示されているＰＵＣＣＨチャネル構造、図８に示されているＰＵＣＣＨチャネル構造、及び図９に示されているＵＣＩをＰＵＳＣＨでフィードバックするための機構は、上述されており、詳細はここでは説明されない。
【００９９】
この実施例で提供されるハイブリッド自動再送要求−肯定応答伝送方法によると、基地局は、上位層を使用してＨＡＲＱ−ＡＣＫタイミングを設定し、第１のＨＡＲＱ−ＡＣＫタイミング及び第２のＨＡＲＱ−ＡＣＫタイミングが提供される。セル中心のユーザの場合、第１のＨＡＲＱ−ＡＣＫタイミングが設定されることができ、それにより遅延が低減され、システムは低遅延サービスを提供することができる。セル端のユーザの場合、第２のＨＡＲＱ−ＡＣＫタイミングが設定されることができ、それによりＨＡＲＱ−ＡＣＫ性能が保証され、すなわち、システムのカバレッジが保証される。したがって、短縮サブフレーム構造が使用されるとき、システムは低サービス遅延要件を有するサービスを提供することができ、新しいサブフレーム構造の十分な大きさのカバレッジを保証することができる。
【０１００】
図１１は、本発明の実施例によるユーザ機器の実施例１の概略構造図である。図１１に示されているように、この実施例のユーザ機器は、
ユーザ機器のサービングセルである、サブフレームｎ−ｋの第１のサービングセルで、ダウンリンクＳＰＳリリースを示すＰＤＳＣＨ又はダウンリンク制御チャネル受信するように構成された受信モジュール１１１と、
サブフレームｎで、第１のサービングセルのものでありサブフレームｎ−ｋに含まれるＰＤＳＣＨ又はダウンリンク制御チャネルに対応するＨＡＲＱ−ＡＣＫを送信するように構成された送信モジュール１１２とを含み、ｎは整数であり、ｋは正の整数であり、ｋは集合Ｋに属し、設定されたＨＡＲＱ−ＡＣＫタイミングに応じて集合Ｋが判定され、設定されたＨＡＲＱ−ＡＣＫタイミングは、第１のＨＡＲＱ−ＡＣＫタイミング又は第２のＨＡＲＱ−ＡＣＫタイミングを含む。
【０１０１】
この実施例のユーザ機器は、図５に示されている方法の実施例の技術的解決策を実行するように構成される。実装の原則及び技術的な効果は同様であり、詳細はここでは説明されない。
【０１０２】
さらに、図１１に示されている実施例で、設定されたＨＡＲＱ−ＡＣＫタイミングが第１のＨＡＲＱ−ＡＣＫタイミングであるとき、集合Ｋは１つの要素のみを含み、サブフレームｎは第１のサブフレーム、第２のサブフレーム、若しくはアップリンクサブフレームであるか、又は、設定されたＨＡＲＱ−ＡＣＫタイミングが第２のＨＡＲＱ−ＡＣＫタイミングであるとき、集合Ｋは少なくとも１つの要素を含み、サブフレームｎは第２のサブフレーム若しくはアップリンクサブフレームである。
【０１０３】
さらに、図１１に示されている実施例で、設定されたＨＡＲＱ−ＡＣＫタイミングが第１のＨＡＲＱ−ＡＣＫタイミングであるとき、集合Ｋは｛３｝又は｛４｝である。
【０１０４】
さらに、図１１に示されている実施例で、設定されたＨＡＲＱ−ＡＣＫタイミングが第２のＨＡＲＱ−ＡＣＫタイミングであるとき、第１のサービングセルの参照アップリンク−ダウンリンク構成に応じて集合Ｋが判定される。
【０１０５】
さらに、図１１に示されている実施例で、設定されたＨＡＲＱ−ＡＣＫタイミングが第２のＨＡＲＱ−ＡＣＫタイミングであるとき、第１のサービングセルの参照アップリンク−ダウンリンク構成に応じて集合Ｋが判定されることは、
参照アップリンク−ダウンリンク構成がアップリンク−ダウンリンク構成０であるとき、サブフレームｎが無線フレームのサブフレーム２、サブフレーム４、サブフレーム７、若しくはサブフレーム９に対応し、サブフレームｎが無線フレームのサブフレーム２又はサブフレーム７に対応するとき、集合Ｋが｛６｝であり、若しくは、サブフレームｎが無線フレームのサブフレーム４若しくはサブフレーム９であるとき、集合Ｋが｛４｝であること、
参照アップリンク−ダウンリンク構成がアップリンク−ダウンリンク構成１であるとき、サブフレームｎが無線フレームのサブフレーム２、サブフレーム３、サブフレーム７、若しくはサブフレーム８に対応し、サブフレームｎが無線フレームのサブフレーム２若しくはサブフレーム７に対応するとき、集合Ｋが｛７，６｝であり、若しくは、サブフレームｎが無線フレームのサブフレーム３若しくはサブフレーム８に対応するとき、集合Ｋが｛４｝であること、
参照アップリンク−ダウンリンク構成がアップリンク−ダウンリンク構成２であるとき、サブフレームｎが無線フレームのサブフレーム２若しくはサブフレーム７に対応し、集合Ｋが｛８，７，４，６｝であること、
参照アップリンク−ダウンリンク構成がアップリンク−ダウンリンク構成３であるとき、サブフレームｎが無線フレームのサブフレーム２、サブフレーム３、若しくはサブフレーム４に対応し、サブフレームｎが無線フレームのサブフレーム２に対応するとき、集合Ｋが｛７，６，１１｝であり、サブフレームｎが無線フレームのサブフレーム３に対応するとき、集合Ｋが｛６，５｝であり、若しくは、サブフレームｎが無線フレームのサブフレーム４に対応するとき、集合Ｋが｛５，４｝であること、
参照アップリンク−ダウンリンク構成がアップリンク−ダウンリンク構成４であるとき、サブフレームｎが無線フレームのサブフレーム２及びサブフレーム３に対応し、サブフレームｎが無線フレームのサブフレーム２に対応するとき、集合Ｋが｛１２，８，７，１１｝であり、若しくは、サブフレームｎが無線フレームのサブフレーム３に対応するとき、集合Ｋが｛６，５，４，７｝であること、
参照アップリンク−ダウンリンク構成がアップリンク−ダウンリンク構成５であるとき、サブフレームｎが無線フレームのサブフレーム２に対応し、集合Ｋが｛１３，１２，９，８，７，５，４，１１，６｝であること、又は、
参照アップリンク−ダウンリンク構成がアップリンク−ダウンリンク構成６であるとき、サブフレームｎが無線フレームのサブフレーム２、サブフレーム３、サブフレーム４、サブフレーム７、若しくはサブフレーム８に対応し、サブフレームｎが無線フレームのサブフレーム２、サブフレーム３、サブフレーム７、若しくはサブフレーム８に対応するとき、集合Ｋが｛７｝であり、若しくは、サブフレームｎが無線フレームのサブフレーム４に対応するとき、集合Ｋが｛５｝であることを含む。
【０１０６】
さらに、図１１に示されている実施例で、参照アップリンク−ダウンリンク構成は第１のサービングセルのアップリンク−ダウンリンク構成であり、第１のサービングセルのアップリンク−ダウンリンク構成は、無線フレームでの第１のサブフレーム、第２のサブフレーム、ダウンリンクサブフレーム、及びアップリンクサブフレームの配置を示す。
【０１０７】
図１２は、本発明の実施例による基地局の実施例１の概略構造図である。図１２に示されているように、この実施例の基地局は、
ハイブリッド自動再送要求−肯定応答ＨＡＲＱ−ＡＣＫタイミングを、ユーザ機器に対して設定するように構成された処理モジュール１２１であって、当該処理モジュール１２１によりユーザ機器に対して設定されたＨＡＲＱ−ＡＣＫタイミングが第１のＨＡＲＱ−ＡＣＫタイミング又は第２のＨＡＲＱ−ＡＣＫタイミングを含む、処理モジュール１２１と、
ユーザ機器に対して、ユーザ機器のサービングセルである、サブフレームｎ−ｋの第１のサービングセルで、ダウンリンクＳＰＳリリースを示すＰＤＳＣＨ又はダウンリンク制御チャネルを送信するように構成された送信モジュール１２２と、
サブフレームｎで、ユーザ機器により送信され、第１のサービングセルのものでありサブフレームｎ−ｋに含まれるＰＤＳＣＨ又はダウンリンク制御チャネルに対応するＨＡＲＱ−ＡＣＫを受信するように構成された受信モジュール１２３とを含み、ｎは整数であり、ｋは正の整数であり、ｋは集合Ｋに属し、処理モジュール１２１によりユーザ機器に対して設定されたＨＡＲＱ−ＡＣＫタイミングに応じて集合Ｋが判定される。
【０１０８】
この実施例の基地局は、図１０に示されている方法の実施例の技術的解決策を実行するように構成される。実装の原則及び技術的な効果は同様であり、詳細はここでは説明されない。
【０１０９】
さらに、図１２に示されている実施例で、処理モジュール１２１によりユーザ機器に対して設定されたＨＡＲＱ−ＡＣＫタイミングが第１のＨＡＲＱ−ＡＣＫタイミングであるとき、集合Ｋは１つの要素のみを含み、サブフレームｎは第１のサブフレーム、第２のサブフレーム、若しくはアップリンクサブフレームであるか、又は、処理モジュール１２１によりユーザ機器に対して設定されたＨＡＲＱ−ＡＣＫタイミングが第２のＨＡＲＱ−ＡＣＫタイミングであるとき、集合Ｋは少なくとも１つの要素を含み、サブフレームｎは第２のサブフレーム若しくはアップリンクサブフレームである。
【０１１０】
さらに、図１２に示されている実施例で、処理モジュール１２１によりユーザ機器に対して設定されたＨＡＲＱ−ＡＣＫタイミングが第１のＨＡＲＱ−ＡＣＫタイミングであるとき、集合Ｋは｛３｝又は｛４｝である。
【０１１１】
さらに、図１２に示されている実施例で、処理モジュール１２１によりユーザ機器に対して設定されたＨＡＲＱ−ＡＣＫタイミングが第２のＨＡＲＱ−ＡＣＫタイミングであるとき、第１のサービングセルの参照アップリンク−ダウンリンク構成に応じて集合Ｋが判定される。
【０１１２】
さらに、図１２に示されている実施例で、処理モジュール１２１によりユーザ機器に対して設定されたＨＡＲＱ−ＡＣＫタイミングが第２のＨＡＲＱ−ＡＣＫタイミングであるとき、第１のサービングセルの参照アップリンク−ダウンリンク構成に応じて集合Ｋが判定されることは、
参照アップリンク−ダウンリンク構成がアップリンク−ダウンリンク構成０であるとき、サブフレームｎが無線フレームのサブフレーム２、サブフレーム４、サブフレーム７、若しくはサブフレーム９に対応し、サブフレームｎが無線フレームのサブフレーム２又はサブフレーム７に対応するとき、集合Ｋが｛６｝であり、若しくは、サブフレームｎが無線フレームのサブフレーム４若しくはサブフレーム９であるとき、集合Ｋが｛４｝であること、
参照アップリンク−ダウンリンク構成がアップリンク−ダウンリンク構成１であるとき、サブフレームｎが無線フレームのサブフレーム２、サブフレーム３、サブフレーム７、若しくはサブフレーム８に対応し、サブフレームｎが無線フレームのサブフレーム２若しくはサブフレーム７に対応するとき、集合Ｋが｛７，６｝であり、若しくは、サブフレームｎが無線フレームのサブフレーム３若しくはサブフレーム８に対応するとき、集合Ｋが｛４｝であること、
参照アップリンク−ダウンリンク構成がアップリンク−ダウンリンク構成２であるとき、サブフレームｎが無線フレームのサブフレーム２若しくはサブフレーム７に対応し、集合Ｋが｛８，７，４，６｝であること、
参照アップリンク−ダウンリンク構成がアップリンク−ダウンリンク構成３であるとき、サブフレームｎが無線フレームのサブフレーム２、サブフレーム３、若しくはサブフレーム４に対応し、サブフレームｎが無線フレームのサブフレーム２に対応するとき、集合Ｋが｛７，６，１１｝であり、サブフレームｎが無線フレームのサブフレーム３に対応するとき、集合Ｋが｛６，５｝であり、若しくは、サブフレームｎが無線フレームのサブフレーム４に対応するとき、集合Ｋが｛５，４｝であること、
参照アップリンク−ダウンリンク構成がアップリンク−ダウンリンク構成４であるとき、サブフレームｎが無線フレームのサブフレーム２及びサブフレーム３に対応し、サブフレームｎが無線フレームのサブフレーム２に対応するとき、集合Ｋが｛１２，８，７，１１｝であり、若しくは、サブフレームｎが無線フレームのサブフレーム３に対応するとき、集合Ｋが｛６，５，４，７｝であること、
参照アップリンク−ダウンリンク構成がアップリンク−ダウンリンク構成５であるとき、サブフレームｎが無線フレームのサブフレーム２に対応し、集合Ｋが｛１３，１２，９，８，７，５，４，１１，６｝であること、又は、
参照アップリンク−ダウンリンク構成がアップリンク−ダウンリンク構成６であるとき、サブフレームｎが無線フレームのサブフレーム２、サブフレーム３、サブフレーム４、サブフレーム７、若しくはサブフレーム８に対応し、サブフレームｎが無線フレームのサブフレーム２、サブフレーム３、サブフレーム７、若しくはサブフレーム８に対応するとき、集合Ｋが｛７｝であり、若しくは、サブフレームｎが無線フレームのサブフレーム４に対応するとき、集合Ｋが｛５｝であることを含む。
【０１１３】
さらに、図１２に示されている実施例で、参照アップリンク−ダウンリンク構成は第１のサービングセルのアップリンク−ダウンリンク構成であり、第１のサービングセルのアップリンク−ダウンリンク構成は、無線フレームでの第１のサブフレーム、第２のサブフレーム、及びアップリンクサブフレームの配置を示す。
【０１１４】
さらに、図１２に示されている実施例で、処理モジュール１２１は、第１のサービングセルの参照アップリンク−ダウンリンク構成を、ユーザ機器に対して設定するように具体的に構成され、第１のサービングセルの参照アップリンク−ダウンリンク構成が、第１のサービングセルのＨＡＲＱ−ＡＣＫタイミングを決定する。
【０１１５】
本発明のこの実施例の受信モジュール１１１は、ユーザ機器の受信機に対応し得るか、又はユーザ機器の送受信機に対応し得ることに留意する必要がある。送信モジュール１１２は、ユーザ機器の送信機に対応し得るか、又はユーザ機器の送受信機に対応し得る。ユーザ機器は、プロセッサを更に含み得る。ここでのプロセッサは、中央処理装置（Ｃｅｎｔｒａｌ  Ｐｒｏｃｅｓｓｉｎｇ  Ｕｎｉｔ，ＣＰＵ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ，ＡＳＩＣ）、又は本発明のこの実施例を実装する１つ若しくは複数の集積回路であり得る。ユーザ機器は、メモリを更に含み得る。メモリは、命令コードを格納するように構成される。プロセッサは、メモリ内の命令コードを呼び出して本発明のこの実施例の受信モジュール１１１及び送信モジュール１１２を制御して、上述した操作を実行する。
【０１１６】
本発明のこの実施例の送信モジュール１２２は、基地局の送信機に対応し得るか、又は基地局の送受信機に対応し得る。受信モジュール１２３は、基地局の受信機に対応し得るか、又は基地局の送受信機に対応し得る。処理モジュール１２１は、基地局のプロセッサに対応し得る。ここでのプロセッサは、ＣＰＵ、ＡＳＩＣ、又は本発明のこの実施例を実装する１つ若しくは複数の集積回路であり得る。基地局は、メモリを更に含み得る。メモリは、命令コードを格納するように構成される。プロセッサは、メモリ内の命令コードを呼び出して本発明のこの実施例の送信モジュール１２２、受信モジュール１２３、及び処理モジュール１２１を制御して、上述した操作を実行する。
【０１１７】
当業者は、方法の実施例のステップのすべて又は一部が、関連するハードウェアに命令を与えるプログラムにより実装され得ることを理解し得る。プログラムは、コンピュータ読み取り可能な記憶媒体に格納され得る。プログラムを実行すると、方法の実施例のステップが実行される。上述した記憶媒体は、ＲＯＭ、ＲＡＭ、磁気ディスク、又は光ディスクなど、プログラムコードを格納することができるすべての媒体を含む。
【０１１８】
最後に、上述した実施例は、本発明の技術的解決策について説明することを単純に意図したものであり、本発明を限定することを意図したものではないことに留意する必要がある。本発明について上述した実施例を参照しながら詳細に説明したが、当業者は、上述した実施例で説明される技術的解決策に変更を加えられること、又は上述した実施例の一部若しくはすべての技術的特徴を等価物で置換できることを理解するはずである。したがって、本発明の保護範囲は、請求項の保護範囲に従うものとする。
【図１】
0006561130.tif 000006
【図２】
0006561130.tif 000007
【図３】
0006561130.tif 000008
【図４】
0006561130.tif 000009
【図５】
0006561130.tif 000010
【図６】
0006561130.tif 000011
【図７】
0006561130.tif 000012
【図８】
0006561130.tif 000013
【図９】
0006561130.tif 000014
【図１０】
0006561130.tif 000015
【図１１】
0006561130.tif 000016
【図１２】
0006561130.tif 000017